(57)【要約】【課題】無線デバイスが次世代ネットワークノード及びレガシーネットワークノードとの実質的に同時通信を実行するための装置、システム、及び方法の提供。【解決手段】無線デバイスは、ＲＡＴに従って第１のセルと第１の無線リンクを確立するように構成することができ、第１のセルは、第１のシステム帯域幅で動作し、ＲＡＴに従って第２のセルと第２の無線リンクを確立し、第２のセルは、第２のシステム帯域幅で動作する。更に、無線デバイスは、アップリンク動作が第１のＲＡＴ及び第２のＲＡＴの両方に従ってスケジューリングされる場合、第１のＲＡＴ用のアップリンクデータ及び第２のＲＡＴ用のアップリンクデータをＴＤＭすることにより第１のＲＡＴ及び第２のＲＡＴの両方に対するアップリンク動作を実行するように構成することができる。【選択図】図７
2019004469.tif 000002
【特許請求の範囲】
【請求項１】
少なくとも１つのアンテナと、
第１の無線アクセス技術（ＲＡＴ）を使用してセルラ通信を行なうように構成された、少なくとも１つの無線機と、
前記少なくとも１つの無線機に結合された１つ以上のプロセッサと、を備えるユーザ機器（ＵＥ）デバイスであって、前記１つ以上のプロセッサ及び前記少なくとも１つの無線機は、音声及び／又はデータ通信を行なうように構成されており、
前記１つ以上のプロセッサは、前記ＵＥに、
第１のシステム帯域幅で動作する前記第１のＲＡＴに従った第１のセルとの第１の無線リンク及び第２のシステム帯域幅で動作する第２のＲＡＴに従った第２のセルとの第２の無線リンクを確立させ、
前記ＵＥが、前記第１又は第２の周波数帯域であって、前記第１及び第２のシステム帯域幅は少なくとも部分的に重なり合い、前記第１又は第２の周波数帯域のうちの１つ以上に対してアップリンク（ＵＬ）共有をサポートするという第１のインジケーションを前記第１又は第２の基地局のうちの１つに送信させ、
前記第１又は第２のセルのうちの１つ以上から、前記第１のＲＡＴに関連付けられた第１のアップリンクリソースの割り当て及び前記第２のＲＡＴに関連付けられた第２のアップリンクリソースの割り当てを受信させる、ように構成されており、前記割り当ては、前記第１及び第２のアップリンクリソースに従って前記第１のＲＡＴ及び前記第２のＲＡＴに対するアップリンクデータ送信のために時分割多重化（ＴＤＭ）を使用することに対応する、ＵＥ。
【請求項２】
前記第１のインジケーションが、帯域の組み合わせに関する能力メッセージに含まれた、請求項１に記載のＵＥ。
【請求項３】
前記１つ以上のプロセッサが、
前記第１のセル又は前記第２のセルのうちの１つに、必要な切替ギャップの第２のインジケーションを報告するように更に構成されており、前記切替ギャップは、前記第１のＲＡＴを使用する前記第１のセルとのアップリンク通信から前記第２のＲＡＴを使用する前記第２のセルとのアップリンク通信に、及び／又は前記第２のＲＡＴを使用する前記第２のセルとのアップリンク通信から前記第１のＲＡＴを使用する前記第１のセルとのアップリンク通信に、切り替えるために必要な１つ以上の時間周期に関連付けられた、請求項１に記載のＵＥ。
【請求項４】
前記１つ以上のプロセッサが、
前記報告に応じて、前記第１のセル及び前記第２のセルとの通信用のサブフレーム割り当てを受信するように更に構成されており、前記サブフレーム割り当てが、少なくとも一部前記第２のインジケーションに基づく、請求項３に記載のＵＥ。
【請求項５】
前記切替ギャップが、
前記第１のセルに割り当てられたダウンリンクサブフレームの一部分、又は
前記第１のセルに割り当てられた少なくとも１つのダウンリンクサブフレーム、のうちの１つとして指定された、請求項３に記載のＵＥ。
【請求項６】
前記１つ以上のプロセッサが、
前記第２の基地局から、前記第１のセルへの送信のためのアップリンクサブフレーム及び前記第２のセルへの割り当てのためのアップリンクサブフレームを示すアップリンクサブフレームの割り当てを受信し、
前記第２の基地局から、前記ＵＥがすべてのダウンリンクサブフレームにおいてダウンリンクデータを受信することを示す、ダウンリンクサブフレームの割り当てを受信し、
前記ダウンリンクサブフレームの確認応答をバンドルし、
アップリンクサブフレームにおいて前記バンドルされた確認応答を送信し、それによって前記第２のＲＡＴに従った確認応答タイムラインを維持する、ように更に構成された、請求項１に記載のＵＥ。
【請求項７】
前記バンドルされた確認応答が、前記第２の基地局への送信に割り当てられたアップリンクサブフレームにおいて送信される、請求項６に記載のＵＥ。
【請求項８】
前記バンドルされた確認応答が、前記第１の基地局への送信に割り当てられたアップリンクサブフレームにおいて送信され、前記バンドルされた確認応答が、前記第１の基地局への制御チャネル送信のペイロードに含まれた、請求項６に記載のＵＥ。
【請求項９】
前記第１のＲＡＴが、５Ｇ  ＮＲを含み、前記第２のＲＡＴが、ＬＴＥを含む、請求項１に記載のＵＥ。
【請求項１０】
メモリと、
前記メモリと通信する少なくとも１つのプロセッサと、を備える装置であって、前記少なくとも１つのプロセッサが、
前記第１のＲＡＴに従って、第１のシステム帯域幅で動作する第１のセルとの第１の無線リンクを確立する命令を生成し、
第２のＲＡＴに従って、第２のシステム帯域幅で動作する第２のセルとの第２の無線リンクを確立する命令を生成し、
前記無線デバイスが前記第１のＲＡＴ及び前記第２のＲＡＴの両方に従ってスケジューリングされたアップリンク動作を有するか否かを判定し、
アップリンク動作が前記第１のＲＡＴ及び前記第２のＲＡＴの両方に従ってスケジューリングされる場合、前記第１のＲＡＴ用のアップリンクデータ及び前記第２のＲＡＴ用のアップリンクデータを時分割多重化（ＴＤＭ）することにより前記第１のＲＡＴ及び前記第２のＲＡＴの両方に対するアップリンク（ＵＬ）動作を実行する命令を生成する、ように構成された、装置。
【請求項１１】
前記少なくとも１つのプロセッサが、
前記第１のＲＡＴに従った送信のための第１のＵＬサブフレームの割り当てを受信し、
前記第２のＲＡＴに従った送信のための第２のＵＬサブフレームの割り当てを受信する、ように更に構成された、請求項１０に記載の装置。
【請求項１２】
前記少なくとも１つのプロセッサが、
前記第１又は第２のＲＡＴのうちの１つに従って制御シグナリング用のそれぞれのＵＬサブフレームの一部分の割り当てを受信するように更に構成された、請求項１０に記載の装置。
【請求項１３】
前記少なくとも１つのプロセッサが、
前記第２の基地局から、ダウンリンクサブフレームにおけるチャネル状態情報の要求を受信し、
前記ダウンリンクサブフレームが前記第２の基地局に送信するためにスケジューリングされたＵＬサブフレームに対応していないことを判定し、
前記ＵＬサブフレーム内の前記第１の基地局に送信される制御信号内の前記第２の基地局に関するチャネル状態情報を多重化する命令を生成する、ように更に構成された、請求項１０に記載の装置。
【請求項１４】
前記少なくとも１つのプロセッサが、
前記第２の基地局から、前記第１の基地局への送信のためのアップリンクサブフレーム及び前記第２の基地局への割り当てのためのアップリンクサブフレームを示すアップリンクサブフレームの割り当てを受信し、
前記第２の基地局から、前記第２の基地局への送信のために割り当てられたアップリンクサブフレームに対応するダウンリンクサブフレームにおいて前記第２の基地局からのデータのみが受信され、それによって前記第２のＲＡＴに従った確認応答タイムラインを維持するように、アップリンクサブフレームの割り当てに対応するダウンリンクサブフレームの割り当てを受信する、ように更に構成された、請求項１０に記載の装置。
【請求項１５】
処理回路によって実行可能なプログラム命令を記憶する非一時的コンピュータ可読記憶媒体であって、前記プログラム命令が、ユーザ機器デバイス（ＵＥ）に、
第１のシステム帯域幅で動作する第１の無線アクセス技術（ＲＡＴ）に従った第１の基地局との第１の無線リンク及び第２のシステム帯域幅で動作する第２のＲＡＴに従った第２の基地局との第２の無線リンクを確立させ、
前記ＵＥが前記第１のＲＡＴ及び前記第２のＲＡＴ上で同時に送信するように構成されていないことを判定させ、
前記ＵＥが前記第１のＲＡＴ及び前記第２のＲＡＴ上で同時に送信するように構成されていないというインジケーションを送信する命令を生成させ、
前記第１又は第２のセルのうちの１つ以上から、前記第１のＲＡＴに関連付けられた第１のアップリンクリソースの割り当て、及び前記第２のＲＡＴに関連付けられた第２のアップリンクリソースの割り当てを受信させ、
前記第１のＲＡＴ用のアップリンクデータ及び前記第２のＲＡＴ用のアップリンクデータの時分割多重化（ＴＤＭ）に従って前記第１のＲＡＴ及び前記第２のＲＡＴの両方に対するアップリンク（ＵＬ）動作を実行する命令を生成させる、非一時的コンピュータ可読記憶媒体。
【請求項１６】
前記第１及び第２のシステム帯域幅が、重なり合わない、請求項１５に記載の非一時的コンピュータ可読記憶媒体。
【請求項１７】
前記第１及び第２のシステム帯域幅が、重なり合う、請求項１５に記載の非一時的コンピュータ可読記憶媒体。
【請求項１８】
前記プログラム命令が、前記ＵＥに、
前記第１の基地局又は前記第２の基地局のうちの１つに、必要な切替ギャップのインジケーションを報告させるように更に実行可能であり、前記切替ギャップが、前記第１のＲＡＴでのアップリンク通信から前記第２のＲＡＴでのアップリンク通信に、及び／又は前記第２のＲＡＴでのアップリンク通信から前記第１のＲＡＴでのアップリンク通信に、切り替えるために必要な１つ以上の時間周期に関連付けられた、請求項１５に記載の非一時的コンピュータ可読記憶媒体。
【請求項１９】
前記プログラム命令が、前記ＵＥに、
前記報告に応じて、前記第１の基地局及び前記第２の基地局との通信用のサブフレーム割り当てを受信させるように更に実行可能であり、前記サブフレーム割り当てが、少なくとも一部前記インジケーションに基づき、
前記割り当てが、前記第２の基地局への送信のために割り当てられたサブフレームの直後の前記第１の基地局への送信のために割り当てられたサブフレームの開始時の第１の保護期間を含み、前記第１の保護期間が、前記必要なＲＦ切替ギャップに関連付けられた、請求項１８に記載の非一時的コンピュータ可読記憶媒体。
【請求項２０】
前記ＵＥへのサブフレーム割り当てが、前記第２の基地局への送信のために割り当てられたサブフレームの直前の前記第１の基地局への送信のために割り当てられたサブフレームの終了時の保護期間を含み、前記第２の保護期間は、前記必要なＲＦ切替ギャップに関連付けられた、請求項１８に記載の非一時的コンピュータ可読記憶媒体。
【発明の詳細な説明】
【技術分野】
【０００１】
本出願は、無線デバイスに関し、より詳細には、無線デバイスが現在の無線アクセス技術及び次世代の無線アクセス技術との同時接続を確立及び維持するための装置、システム、及び方法に関する。
〔関連技術の説明〕
【０００２】
無線通信システムの利用が急速に伸びている。更には、無線通信技術は、音声のみの通信から、インターネット及びマルチメディアコンテンツなどのデータの伝送も含むまでに進化した。それゆえ、この分野における改善が望まれる。
【発明の概要】
【０００３】
実施形態は、次世代ネットワークノード（例えば、第５世代新無線（fifth generation new radio）（５Ｇ  ＮＲ）ネットワークノード）及びレガシーネットワークノード（例えば、ＬＴＥネットワークノード）との同時（又は実質的に同時）接続への無線デバイスの接続を実行するための装置、システム及び方法に関する。
【０００４】
いくつかの実施形態によれば、無線デバイスは、第１のアンテナと通信する第１の無線機と、第２のアンテナと通信する第２の無線機とを含んでもよい。第１の無線機は、第１の無線アクセス技術（radio access technology）（ＲＡＴ）に従ってセルラ通信を実行するように構成し、第２の無線機は、第２のＲＡＴに従ってセルラ通信を実行するように構成することができる。
【０００５】
いくつかの実施形態では、無線デバイスは、第１の無線アクセス技術（ＲＡＴ）に従って第１のセルと第１の無線リンクを確立する方法を実行するように構成することができ、第１のセルは、第１のシステム帯域幅で動作し、第２の無線アクセス技術（ＲＡＴ）に従って第２のセルと第２の無線リンクを確立し、第２のセルは、第２のシステム帯域幅で動作する。更に、無線デバイスは、無線デバイスが第１のＲＡＴ及び第２のＲＡＴの両方に従ってスケジューリングされたアップリンク動作を有するか否か判定し、アップリンク動作が第１のＲＡＴ及び第２のＲＡＴの両方に従ってスケジューリングされる場合、第１のＲＡＴ用のアップリンクデータ及び第２のＲＡＴ用のアップリンクデータを時分割多重化（time division multiplexing）（ＴＤＭ）することにより第１のＲＡＴ及び第２のＲＡＴの両方に対するアップリンク動作を実行するように構成することができる。換言すれば、無線デバイスは、第１のＲＡＴ及び第２のＲＡＴ上で同時に送信しなくてもよい。別の言い方をすれば、無線デバイスは、第１のＲＡＴ及び第２のＲＡＴ上で同時に送信するように構成しなくてもよい。このように、少なくともいくつかの実施形態では、無線デバイスは、第１のＲＡＴ及び第２のＲＡＴ上の同時送信をサポート（及び／又は実行）することができない場合がある。いくつかの実施形態では、第１のＲＡＴ及び第２のＲＡＴの両方に従ってアップリンク動作がスケジューリングされる場合、第１のＲＡＴ用のアップリンクデータ及び第２のＲＡＴ用のアップリンクデータを時分割多重化（ＴＤＭ）することにより第１のＲＡＴ及び第２のＲＡＴの両方に対してアップリンク動作を実行するために、無線デバイスは、第１のＲＡＴに従った伝送用の第１のＵＬサブフレームの割り当て、及び第２のＲＡＴに従った伝送用の第２のＵＬサブフレームの割り当てを受信するように構成することができる。いくつかの実施形態では、アップリンクデータのＴＤＭは、無線デバイスの物理層において実行されてもよい。いくつかの実施形態では、無線デバイスは、第１又は第２のＲＡＴのうちの１つに従って制御シグナリング用のそれぞれのＵＬサブフレームの一部分の割り当てを受信するように更に構成することができる。
【０００６】
いくつかの実施形態では、無線デバイスは、第１の無線アクセス技術（ＲＡＴ）に従って第１のセルと第１の無線リンクを確立する方法を実行するように構成することができ、第１のセルは、第１のシステム帯域幅で動作し、第２の無線アクセス技術（ＲＡＴ）に従って第２のセルと第２の無線リンクを確立し、第２のセルは、第２のシステム帯域幅で動作する。更に、無線デバイスは、無線デバイスが第１のＲＡＴ及び第２のＲＡＴの両方に従ってスケジューリングされたアップリンク動作を有し、無線デバイスが再同調期間及び／又は無線周波数（radio frequency）（ＲＦ）切替ギャップを必要とする（例えば、第１のＲＡＴの通信周波数から第２のＲＡＴの通信周波数に切り替えるために）か否かを示すメッセージを送信するように構成することができる。いくつかの実施形態では、再同調期間及び／又はＲＦ切替ギャップは、能力メッセージ内で送信されてもよい。いくつかの実施形態では、無線デバイスは、送信されたインジケーションに（少なくとも一部）基づいて、第１及び第２のＲＡＴ用のサブフレーム割り当てを受信するように構成されてもよい。
【０００７】
本明細書で説明する技術は、セルラ電話、タブレットコンピュータ、ウェアラブルコンピューティングデバイス、ポータブルメディアプレーヤ、及び様々な他のコンピューティングデバイスの任意のものを含むがこれらに限定されない、多数の異なる種類のデバイスに実装する及び／又はそれらと共に使用することができる。
【０００８】
この「発明の概要」は、本文書で説明される主題のうちの一部の概要を、手短に提供することを意図するものである。したがって、上述した特徴が例に過ぎず、いかなる方法でも本明細書で説明する主題の範囲又は趣旨を狭めるように解釈すべきではないことが了解されよう。本明細書で説明される主題の他の特徴、態様、及び利点は、以下の「発明を実施するための形態」、図、及び「特許請求の範囲」から明らかとなるであろう。
各種実施形態の以下の詳細な説明を、以下の図面と併せて考慮すれば、本主題のより良い理解を得ることができる。
【図面の簡単な説明】
【０００９】
【図１】いくつかの実装形態に係る、例示的な無線通信システムを示す。
【図２】いくつかの実施形態に係る、ユーザ機器（user equipment）（ＵＥ）デバイスと通信する基地局（base station）（ＢＳ）を示す。
【図３】いくつかの実施形態に係る、ＵＥの例示的なブロック図を示す。
【図４】いくつかの実施形態に係る、ＢＳの例示的なブロック図を示す。
【図５】いくつかの実施形態に係る、セルラ通信回路の例示的なブロック図を示す。
【図６Ａ】ＥＰＣネットワークとＬＴＥ基地局（ｅＮＢ）と５Ｇ  ＮＲ基地局（ｇＮＢ）との間の接続の例を示す。
【図６Ｂ】ｅＮＢ及びｇＮＢに関するプロトコルスタックの例を示す。
【図７】いくつかの実施形態に係る、制御プレーン及びユーザプレーンの例を示す。
【図８】いくつかの実施形態に係る、ＮＲのＮＳＡ動作のためのＴＤＭ用のＸ2インターフェースを介してｅＮＢとｇＮＢとの間で交換される例示的な割り当てを示す。
【図９】いくつかの実施形態に係る、ＮＲのＮＳＡ動作のためのＴＤＭ用のサブフレームの例示的なシーケンスを示す。
【図１０】いくつかの実施形態に係る、ＮＲのＮＳＡ動作のためのＴＤＭ用の例示的な確認応答タイムラインを示す。
【図１１】いくつかの実施形態に係る、ＮＲのＮＳＡ動作のためのＴＤＭ用の例示的なバンドルされた確認応答タイムラインを示す。
【図１２】いくつかの実施形態に係る、ＮＲのＮＳＡ動作のためのＴＤＭ用の変更された様々なＬＴＥのＴＤＤ構成の例を示す。
【図１３】ＮＲのＮＳＡ動作のためのＴＤＭ用のＮＲミニスロットを有するサブフレームの例示的なシーケンスを示す。
【図１４】いくつかの実施形態に係る、時分割多重化（ＴＤＭ）を使用して、ＲＡＴ間の二重接続性（dual connectivity）（ＤＣ）をサポートするための方法の一例のブロック図を示す。
【図１５Ａ】ＮＲ−ＬＴＥ二重接続性のための例示的なアップリンクパターンを示す。
【図１５Ｂ】ＮＲ−ＬＴＥ二重接続性のための例示的なアップリンクパターンを示す。
【図１６Ａ】いくつかの実施形態に係る、ＮＲ−ＬＴＥ二重接続性のための例示的なアップリンクパターンを示す。
【図１６Ｂ】いくつかの実施形態に係る、ＮＲ−ＬＴＥ二重接続性のための例示的なアップリンクパターンを示す。
【図１７Ａ】いくつかの実施形態に係る、ＮＲ−ＬＴＥ二重接続性のための更なる例示的なアップリンクパターンを示す。
【図１７Ｂ】いくつかの実施形態に係る、ＮＲ−ＬＴＥ二重接続性のための更なる例示的なアップリンクパターンを示す。
【図１８】いくつかの実施形態に係る、時分割多重化（ＴＤＭ）を使用して、単一キャリア、多周波数のＲＡＴ間の二重接続性（ＤＣ）をサポートするための方法の一例のブロック図を示す。
【発明を実施するための形態】
【００１０】
本明細書に記載された特徴は、種々の変更及び代替の形態を受ける余地があり得るが、その特定の実施形態を例として図面に示し、本明細書において詳細に説明する。しかしながら、図面及びそれらに対する詳細な説明は、開示されている特定の形態に限定することを意図するものではなく、逆に、その意図は、添付の「特許請求の範囲」によって定義されるような本主題の趣旨及び範囲内に収まる、すべての修正、均等物、及び代替物を包含することである点を理解されたい。
用語
【００１１】
以下は、本開示で使用される用語の用語集である。
【００１２】
記憶媒体−様々な種類の非一時的メモリデバイス又は記憶デバイスのうちの任意のもの。用語「記憶媒体」は、インストール媒体、例えば、ＣＤ−ＲＯＭ、フロッピーディスク若しくはテープデバイス、ＤＲＡＭ、ＤＤＲ  ＲＡＭ、ＳＲＡＭ、ＥＤＯ  ＲＡＭ、ラムバスＲＡＭなどの、コンピュータシステムメモリ若しくはランダムアクセスメモリ、フラッシュ、磁気媒体、例えばハードドライブ、又は光記憶装置などの、不揮発性メモリ、レジスタ、又はその他の同様の種類のメモリ要素などを含むことが意図されている。記憶媒体は、他の種類の非一時的メモリ、並びにそれらの組み合わせも含んでもよい。加えて、記憶媒体は、プログラムが実行される第１のコンピュータシステムに位置してもよく、又はインターネットなどのネットワークを通じて第１のコンピュータシステムに接続する、第２の異なるコンピュータシステムに位置してもよい。後者の例では、第２のコンピュータシステムは、実行のために、プログラム命令を第１のコンピュータシステムに提供することができる。用語「記憶媒体」は、異なる位置、例えば、ネットワークを通じて接続された異なるコンピュータシステムに存在することができる２つ以上の記憶媒体を含んでもよい。記憶媒体は、１つ以上のプロセッサによって実行することができるプログラム命令（例えば、コンピュータプログラムとして具現化された）を記憶してもよい。
【００１３】
搬送媒体−上述のような記憶媒体、並びに、バス、ネットワーク、及び／又は電気信号、電磁気信号、若しくはデジタル信号などの信号を伝達する他の物理的伝送媒体などの物理的伝送媒体。
【００１４】
プログラム可能ハードウェア要素−プログラム可能相互接続を介して接続された複数のプログラム可能機能ブロックを備える、様々なハードウェアデバイスを含む。例としては、ＦＰＧＡ（Ｆｉｅｌｄ  Ｐｒｏｇｒａｍｍａｂｌｅ  Ｇａｔｅ  Ａｒｒａｙ、フィールドプログラマブルゲートアレイ）、ＰＬＤ（Ｐｒｏｇｒａｍｍａｂｌｅ  Ｌｏｇｉｃ  Ｄｅｖｉｃｅ、プログラム可能論理デバイス）、ＦＰＯＡ（Ｆｉｅｌｄ  Ｐｒｏｇｒａｍｍａｂｌｅ  Ｏｂｊｅｃｔ  Ａｒｒａｙ、フィールドプログラマブルオブジェクトアレイ）、及びＣＰＬＤ（Ｃｏｍｐｌｅｘ  ＰＬＤ、複合ＰＬＤ）を含む。プログラム可能機能ブロックは、細かい粒度のもの（組み合わせ論理又はルックアップテーブル）から粗い粒度のもの（算術論理ユニット又はプロセッサコア）にまで及ぶことができる。プログラム可能ハードウェア要素はまた、「再構成可能論理」と称されることがある。
【００１５】
コンピュータシステム−パーソナルコンピュータシステム（personal computer system）（ＰＣ）、メインフレームコンピュータシステム、ワークステーション、ネットワーク装置、インターネット装置、携帯情報端末（personal digital assistant）（ＰＤＡ）、テレビシステム、グリッドコンピューティングシステム、又はその他のデバイス若しくはデバイスの組み合わせを含む様々な種類のコンピューティング又は処理システムのうちのいずれか。一般的に、用語「コンピュータシステム」は、記憶媒体からの命令を実行する少なくとも１つのプロセッサを有する任意のデバイス（又はデバイスの組み合わせ）を包含するように広義に定義することができる。
【００１６】
ユーザ機器（ＵＥ）（又は「ＵＥデバイス」）−移動式又は携帯式であり、無線通信を実行する様々な種類のコンピュータシステムデバイスのうちのいずれか。ＵＥデバイスの例としては、携帯電話又はスマートフォン（例えば、ｉＰｈｏｎｅ（商標）、Ａｎｄｒｏｉｄ（商標）ベースの電話）、ポータブルゲームデバイス（例えば、Ｎｉｎｔｅｎｄｏ  ＤＳ（商標）、ＰｌａｙＳｔａｔｉｏｎ  Ｐｏｒｔａｂｌｅ（商標）、Ｇａｍｅｂｏｙ  Ａｄｖａｎｃｅ（商標）、ｉＰｈｏｎｅ（商標））、ラップトップ、ウェアラブルデバイス（例えば、スマートウォッチ、スマートグラス）、ＰＤＡ、ポータブルインターネットデバイス、音楽プレーヤ、データ記憶デバイス、又は他のハンドヘルドデバイスなどが挙げられる。一般に、用語「ＵＥ」又は「ＵＥデバイス」は、ユーザによって容易に持ち運ばれ、無線通信が可能ないずれかの電子、コンピューティング及び／又は電気通信デバイス（又はデバイスの組み合わせ）を包含するように広義に定義することができる。
【００１７】
基地局−用語「基地局」は、その通常の意味の全範囲を有し、少なくとも、固定場所に設置され、無線電話システム又は無線システムの一部として通信するために使用される無線通信局を含む。
【００１８】
処理要素−ユーザ機器又はセルラネットワークデバイスなどのデバイス内で機能を実行することが可能な、様々な要素又は要素の組み合わせを指す。処理要素としては、例えば、プロセッサ及び関連するメモリ、個別のプロセッサコアの諸部分又は回路、プロセッサコア全体、プロセッサのアレイ、ＡＳＩＣ（Application Specific Integrated Circuit；特定用途向け集積回路）などの回路、フィールドプログラマブルゲートアレイ（field programmable gate array；ＦＰＧＡ）などのプログラム可能ハードウェア要素、並びに、上記の様々な組み合わせのうちのいずれかを挙げることができる。
【００１９】
チャネル−送信側（送信機）から受信機に情報を伝達するために使用される媒体。用語「チャネル」の特性は、異なる無線プロトコルによって異なる場合があるため、用語「チャネル」は、本明細書で使用されるとき、その用語が関連して使用されるデバイスの種類の規格に合致する方式で使用されていると、見なすことができる点に留意されたい。いくつかの規格では、チャネル幅は、可変とする（例えば、デバイス能力、帯域条件などに応じて）ことができる。例えば、ＬＴＥは、１．４ＭＨｚ〜２０ＭＨｚのスケーラブルなチャネル帯域幅をサポートすることができる。対照的に、Ｂｌｕｅｔｏｏｔｈ（登録商標）のチャネル幅は１ＭＨｚに対して、ＷＬＡＮのチャネル幅は２２ＭＨｚであり得る。他のプロトコル及び規格は、異なるチャネルの定義を含み得る。更に、いくつかの規格は、複数の種類のチャネル、例えば、アップリンク若しくはダウンリンクのための異なるチャネル、及び／又は、データ、制御情報などの異なる用途のための異なるチャネルを定義し、使用することができる。
【００２０】
帯域−「帯域」という用語は、その通常の意味の全範囲を有しており、少なくとも、チャネルが使用される又は同じ目的のために確保しておくスペクトルの部分（例えば、無線周波数スペクトル）が含まれる。
【００２１】
自動的に−ユーザ入力が、アクション又は動作を直接指定若しくは実行することなく、コンピュータシステム（例えば、コンピュータシステムによって実行されるソフトウェア）、又はデバイス（例えば、回路機構、プログラム可能ハードウェア要素、ＡＳＩＣなど）によって、それらのアクション又は動作が実行されることを指す。それゆえ、用語「自動的に」は、ユーザが入力を提供して動作を直接実行する、動作がユーザによって手動で実行又は指定されることとは対照的である。自動手順は、ユーザによって提供される入力によって開始されてもよいが、「自動的に」実行される後続のアクションは、ユーザによって指定されるものではなく、すなわち、実行するべき各アクションをユーザが指定する、「手動」では実行されない。例えば、ユーザが、各フィールドを選択し、情報を指定する入力を提供することによって（例えば、情報をタイプ入力すること、チェックボックスを選択すること、無線の選択などによって）、電子フォームに記入することは、コンピュータシステムが、ユーザアクションに応じて、フォームを更新しなければならない場合であっても、手動でフォームに記入することである。フォームは、コンピュータシステムによって自動的に記入されてもよく、この場合、コンピュータシステム（例えば、コンピュータシステム上で実行されるソフトウェア）は、そのフィールドに対する回答を指定するユーザ入力を全く使用することなく、そのフォームのフィールドを分析して、フォームに記入する。上記示されたように、ユーザは、フォームの自動記入を呼び出すことができるが、フォームの実際の記入には関与しない（例えば、ユーザがフィールドに対する回答を手動で指定することはなく、むしろ、それらは、自動的に完了される）。本明細書は、ユーザが行なったアクションに応じて動作が自動的に実行される動作の様々な例を提供する。
【００２２】
おおよそ−ほとんど正確又は正確である値を指す。例えば、「おおよそ」は、正確な（又は所望の）値の１〜１０パーセント以内の値を指すことができる。ただし、実際の閾値（又は許容差）は、用途に依存し得ることに留意すべきである。例えば、いくつかの実施形態では、「おおよそ」は、ある特定の又は所望の値の０．１％以内を意味することがあり、他の様々な実施形態では、閾値は、所望により、又は特定の用途によって必要に応じて、例えば、２％、３％、５％、等であることがある。
【００２３】
同時−タスク、プロセス、又はプログラムが少なくとも部分的に重なり合うように実行される、並列の実行又は実施を指す。例えば、同時並行性は、各計算要素上でタスクが並列に（少なくとも部分的に）実行される「強」若しくは厳密並列処理を使用して、又は、例えば、実行スレッドの時分割多重化によって、インターリーブ方式でタスクが実行される「弱並列処理」を使用して、実施することができる。
【００２４】
種々の構成要素は、タスク又はタスク群を実行「するように構成されている（configured to）」と説明される場合がある。そのような文脈では、「〜ように構成されている」とは、動作時にそのタスク又はタスク群を実行する「構造を有する」ことを一般に意味する、広義の記述である。それゆえ、構成要素は、その構成要素が現在そのタスクを実行していない場合であっても、そのタスクを実行するように構成することができる（例えば、導電体のセットは、２つのモジュールが接続されていない場合であっても、一方のモジュールをもう一方のモジュールに電気的に接続するように構成することができる）。一部の文脈では、「〜ように構成されている」とは、動作時にそのタスク又はタスク群を実行する「回路機構を有する」ことを一般に意味する、広義の構造の記述とすることができる。それゆえ、構成要素は、その構成要素が現在動作していない場合であっても、そのタスクを実行するように構成することができる。一般的に、「〜ように構成されている」に対応する構造を形成する回路機構は、ハードウェア回路を含み得る。
【００２５】
説明の便宜上、様々な構成要素は、あるタスク又はタスク群を実行するものとして説明される場合がある。そのような説明は、「〜ように構成されている」という語句を含むものとして解釈されるべきである。１つ以上のタスクを実行するように構成された構成要素を記述することは、その構成要素に関する解釈に、米国特許法第１１２条（ｆ）が行使されないことを、明示的に意図するものである。
図１及び図２−通信システム
【００２６】
図１は、いくつかの実装形態に係る、簡略化した例示的な無線通信システムを示す。図１のシステムは、あり得るシステムの単なる一例にすぎず、本開示の特徴は、所望に応じて種々のシステムの任意のものにおいて実施されてよいことに留意されたい。
【００２７】
図示のように、例示的な無線通信システムは、１つ以上のユーザデバイス１０６Ａ、１０６Ｂ等から１０６Ｎまでと、伝送媒体を介して通信する基地局１０２Ａを含む。本明細書では、ユーザデバイスの各々を「ユーザ機器」（ＵＥ）と呼ぶことがある。したがって、ユーザデバイス１０６は、ＵＥ、又はＵＥデバイスと呼ばれる。
【００２８】
基地局（ＢＳ）１０２Ａは、無線基地局装置（base transceiver station、ＢＴＳ）又はセルサイト（「セルラ基地局」）であってもよく、ＵＥ１０６Ａ〜１０６Ｎとの無線通信を可能にするハードウェアを含み得る。
【００２９】
基地局の通信領域（又はカバレッジ領域）は、「セル」と呼ばれることもある。基地局１０２Ａ及びＵＥ１０６は、無線通信技術又は電気通信規格とも呼ばれる、ＧＳＭ（登録商標）、ＵＭＴＳ（例えば、ＷＣＤＭＡ（登録商標）、又はＴＤ−ＳＣＤＭＡエアインターフェイスに関連付けられた）、ＬＴＥ、ＬＴＥ−Ａｄｖａｎｃｅｄ（ＬＴＥ−Ａ）、５Ｇ新無線（５Ｇ  ＮＲ）、ＨＳＰＡ、３ＧＰＰ２  ＣＤＭＡ２０００（例えば、１ｘＲＴＴ、１ｘＥＶ−ＤＯ、ＨＲＰＤ、ｅＨＲＰＤ）などの、種々の無線アクセス技術（ＲＡＴ）のいずれかを使用して、伝送媒体を介して通信するように構成することができる。基地局１０２ＡがＬＴＥのコンテキストにおいて実装される場合、それは代わりに「ｅＮｏｄｅＢ」又は「ｅＮＢ」と呼ばれることがあることに留意されたい。基地局１０２Ａが５Ｇ  ＮＲのコンテキストにおいて実装される場合、それは、代わりに「ｇＮｏｄｅＢ」又は「ｇＮＢ」と呼ぶ場合があることに留意されたい。
【００３０】
図に示すように、基地局１０２Ａはまた、ネットワーク１００（例えば、種々の可能性の中で、セルラサービスプロバイダのコアネットワーク、公衆交換電話網（public switched telephone network）（ＰＳＴＮ）などの電気通信ネットワーク、及び／又はインターネット）と通信する機能を備えることもできる。したがって、基地局１０２Ａは、ユーザデバイス間の通信、及び／又は、ユーザデバイスとネットワーク１００との間の通信を円滑化することができる。具体的には、セルラ基地局１０２Ａは、音声、ＳＭＳ、及び／又はデータサービスなどの様々な電気通信能力をＵＥ１０６に提供することができる。
【００３１】
同一の又は異なるセルラ通信規格に従って動作する基地局１０２Ａ及び他の同様の基地局（基地局１０２Ｂ〜１０２Ｎなど）は、したがって、１つ以上のセルラ通信規格を介して、地理的エリアにわたって、ＵＥ１０６Ａ〜１０６Ｎ及び同様のデバイスに、連続性のある又はほぼ連続性のある重複するサービスを提供することができる、セルのネットワークとして提供されることができる。
【００３２】
図１に示すように、基地局１０２Ａは、ＵＥ１０６Ａ〜１０６Ｎに対して、「サービングセル」として機能することができる一方、各ＵＥ１０６は、「隣接セル」と呼ぶことができる１つ以上の他のセル（基地局１０２Ｂ〜１０２Ｎ及び／又は任意の他の基地局によって提供され得る）から信号を受信する（場合によってはその通信範囲内にある）こともまたできる。このようなセルはまた、ユーザデバイス間、及び／又はユーザデバイスとネットワーク１００との間の通信を円滑化することができる。このようなセルとしては、「マクロ」セル、「マイクロ」セル、「ピコ」セル、及び／又は様々な他の任意の粒度のサービスエリアサイズを提供するセルが挙げることができる。例えば、図１に例示する基地局１０２Ａと１０２Ｂはマクロセルであってもよく、その一方で、基地局１０２Ｎは、マイクロセルであってもよい。他の構成もまた可能である。
【００３３】
いくつかの実施形態では、基地局１０２Ａは、次世代基地局、例えば、５Ｇ新無線（５Ｇ  ＮＲ）基地局、又は「ｇＮＢ」であってよい。いくつかの実施形態では、ｇＮＢは、レガシー発展型パケットコア（evolved packet core）（ＥＰＣ）ネットワーク及び／又はＮＲコア（NR core）（ＮＲＣ）ネットワークに接続することができる。加えて、ｇＮＢセルは、１つ以上の遷移及び受信点（transition and reception points）（ＴＲＰ）を含むことができる。加えて、５Ｇ  ＮＲに従って動作可能なＵＥが、１つ以上のｇＮＢ内の１つ以上のＴＲＰに接続されてもよい。
【００３４】
ＵＥ１０６は、複数の無線通信規格を用いて通信することができることに留意されたい。例えば、ＵＥ１０６は、少なくとも１つのセルラ通信プロトコル（例えば、ＧＳＭ、ＵＭＴＳ（例えば、ＷＣＤＭＡ又はＴＤ−ＳＣＤＭＡエアインターフェイスに関連付けられた）、ＬＴＥ、ＬＴＥ−Ａ、５Ｇ  ＮＲ、ＨＳＰＡ、３ＧＰＰ２  ＣＤＭＡ２０００（例えば、１ｘＲＴＴ、１ｘＥＶ−ＤＯ、ＨＲＰＤ、ｅＨＲＰＤ）など）に加えて、無線ネットワークプロトコル（例えば、Ｗｉ−Ｆｉ）及び／又はピアツーピア無線通信プロトコル（例えば、Ｂｌｕｅｔｏｏｔｈ、Ｗｉ−Ｆｉピアツーピアなど）を使用して通信するように構成されてもよい。ＵＥ１０６はまた、あるいは代替的に、１つ以上のグローバルナビゲーション衛星システム（ＧＮＳＳ、例えばＧＰＳ又はＧＬＯＮＡＳＳ）、１つ以上のモバイルテレビ放送規格（例えば、ＡＴＳＣ−Ｍ／Ｈ又はＤＶＢ−Ｈ）、及び／又は、所望であれば、任意の他の無線通信プロトコル、を使用して通信するように構成され得る。無線通信規格（２つより多くの無線通信規格を含む）の他の組み合わせもまた可能である。
【００３５】
図２は、いくつかの実施形態に係る、基地局１０２と通信するユーザ機器１０６（例えば、デバイス１０６Ａ〜１０６Ｎのうちの１つ）を示している。ＵＥ１０６は、携帯電話、ハンドヘルドデバイス、コンピュータ若しくはタブレットなどのセルラ通信能力を有するデバイス、又は実質上あらゆる種類の無線デバイス、であってもよい。
【００３６】
ＵＥ１０６は、メモリに記憶されたプログラム命令を実行するように構成されたプロセッサを含むことができる。ＵＥ１０６は、そのような記憶された命令を実行することによって、本明細書に記載された方法の任意の実施形態を実行することができる。あるいは、又は更に、ＵＥ１０６は、本明細書に記載された方法の実施形態のうちのいずれか、又は本明細書に記載された方法の実施形態のうちのいずれかの任意の部分を実行するように構成されたＦＰＧＡ（フィールドプログラマブルゲートアレイ）などのプログラム可能ハードウェア要素を含んでもよい。
【００３７】
ＵＥ１０６には、１つ以上の無線通信プロトコル又は技術を使用して通信するための１つ以上のアンテナを含み得る。いくつかの実施形態では、ＵＥ１０６は、例えば、単一の共有無線機を使用して、ＣＤＭＡ２０００（１ｘＲＴＴ／１ｘＥＶ−ＤＯ／ＨＲＰＤ／ｅＨＲＰＤ）若しくはＬＴＥを用いて、及び／又は、単一の共有無線機を使用して、ＧＳＭ若しくはＬＴＥを用いて、通信するように構成することができる。共有無線機は、無線通信を実行するための、単一のアンテナに結合することができる、又は複数のアンテナ（例えば、ＭＩＭＯの場合）に結合することができる。一般に、無線機は、ベースバンドプロセッサ、アナログＲＦ信号処理回路（例えば、フィルタ、ミキサ、発振器、増幅器などを含む）、又は、デジタル処理回路（例えば、デジタル変調並びにその他のデジタル処理に関する）の任意の組み合わせを含んでもよい。同様に、無線機は、前述のハードウェアを使用して、１つ以上の受信及び送信チェーンを実装することができる。例えば、ＵＥ１０６は、上述した技術などの複数の無線通信技術間で、受信及び／又は送信チェーンの１つ以上の部品を共有し得る。
【００３８】
いくつかの実施形態では、ＵＥ１０６は、無線通信プロトコルであって、そのプロトコルを用いてＵＥ１０６が通信するように構成された、無線通信プロトコルごとに別個の送信及び／又は受信チェーン（例えば、別々のアンテナ及び他の無線コンポーネントを含む）を含んでもよい。別の可能性として、ＵＥ１０６は、複数の無線通信プロトコルの間で共有される１つ以上の無線機、及び単一の無線通信プロトコルによって独占的に使用される１つ以上の無線機を含み得る。例えば、ＵＥ１０６は、ＬＴＥ又は５Ｇ  ＮＲ（あるいは、ＬＴＥ又は１ｘＲＴＴ又はＬＴＥ又はＧＳＭ）のいずれかを使用して通信するための共有無線機と、Ｗｉ−Ｆｉ及びＢｌｕｅｔｏｏｔｈのそれぞれを使用して通信するための別々の無線機とを含み得る。他の構成もまた可能である。
図３−ＵＥのブロック図
【００３９】
図３は、いくつかの実施形態に係る、通信デバイス１０６の例示的な簡略化したブロック図を示す。図３の通信デバイスのブロック図は、あり得る通信デバイスの単なる一例にすぎないことに留意されたい。実施形態によれば、通信デバイス１０６は、他のデバイスの中でもとりわけ、ユーザ機器（ＵＥ）デバイス、モバイルデバイス若しくは移動局、無線デバイス若しくは無線ステーション、デスクトップコンピュータ若しくはコンピューティングデバイス、モバイルコンピューティングデバイス（例えば、ラップトップコンピュータ、ノートブックコンピュータ、又はポータブルコンピューティングデバイス）、タブレット、及び／又はデバイスの組み合わせであってよい。図示のように、通信デバイス１０６は、コア機能を実行するように構成された１セットの構成要素３００を含むことができる。例えば、この構成要素のセットは、システムオンチップ（system on chip）（ＳＯＣ）として実装することができ、様々な目的のための部分を含むことができる。あるいは、この構成要素のセット３００は、種々の目的のための別個の構成要素又は構成要素の群として実装されてもよい。構成要素のセット３００は、通信デバイス１０６の他の様々な回路に結合（例えば、通信可能に、直接又は間接的に）結合されてもよい。
【００４０】
例えば、通信デバイス１０６は、様々な種類のメモリ（例えば、ＮＡＮＤフラッシュ３１０を含む）と、コネクタＩ／Ｆ３２０等の入出力インターフェース（例えば、コンピュータシステムに接続するためのもの、ドック、充電ステーション、マイクロフォン、カメラ、キーボードなどの入力デバイス、スピーカなどの出力デバイスなど）と、通信デバイス１０６と一体化する又は外部にあることができるディスプレイ３６０と、５Ｇ  ＮＲ、ＬＴＥ、ＧＳＭなどのセルラ通信回路３３０と、近／中距離の無線通信回路３２９（例えば、Ｂｌｕｅｔｏｏｔｈ（商標）及びＷＬＡＮ回路）とを含むことができる。いくつかの実施形態では、通信デバイス１０６は、例えばイーサネット（登録商標）用のネットワークインターフェースカードなどの有線通信回路（図示せず）を含むことができる。
【００４１】
セルラ通信回路３３０は、図示のように、アンテナ３３５及び３３６などの１つ以上のアンテナに（例えば、通信可能に、直接又は間接的に）結合することができる。近／中距離無線通信回路３２９はまた、図示のように、アンテナ３３７及び３３８などの１つ以上のアンテナに（例えば、通信可能に、直接又は間接的に）結合することができる。あるいは、近／中距離無線通信回路３２９は、アンテナ３３７及び３３８への結合（例えば、通信可能に、直接又は間接的に）に加えて、又はそれに代えて、アンテナ３３５及び３３６に（例えば、通信可能に、直接又は間接的に）結合することができる。近／中距離無線通信回路３２９及び／又はセルラ通信回路３３０は、多重入出力（multiple-input multiple output）（ＭＩＭＯ）構成などの複数の空間ストリームを受信及び／又は送信するための、複数の受信チェーン及び／又は複数の送信チェーンを含むことができる。
【００４２】
いくつかの実施形態では、以下に更に説明するように、セルラ通信回路３３０は、複数のＲＡＴのための（例えば、ＬＴＥ用の第１の受信チェーン及び５Ｇ  ＮＲ用の第２の受信チェーン）、専用の受信チェーン（専用のプロセッサ及び／若しくは無線機を含む、並びに／又はそれらに、例えば、通信可能に、直接若しくは間接的に結合された）を含むことができる。加えて、いくつかの実施形態では、セルラ通信回路３３０は、特定のＲＡＴ専用の無線機間で切り替えることができる単一の送信チェーンを含むことができる。例えば、第１の無線機は、第１のＲＡＴ、例えばＬＴＥに専用であってもよく、専用の受信チェーン、並びに、追加の無線機、例えば、第２のＲＡＴ、例えば、５Ｇ  ＮＲに専用とすることができ、専用の受信チェーン及び共有の送信チェーンと通信することができる第２の無線機と共有される送信チェーンと通信してもよい。
【００４３】
通信デバイス１０６はまた、１つ以上のユーザインターフェース要素を含む、及び／又はそれと共に使用するように構成することができる。ユーザインターフェース要素は、ディスプレイ３６０（タッチスクリーンディスプレイであってもよい）、キーボード（個別のキーボードであってもよく、又はタッチスクリーンディスプレイの一部として実装されてもよい）、マウス、マイクロフォン及び／若しくはスピーカ、１つ以上のカメラ、１つ以上のボタン、並びに／又はユーザに対する情報の提供及び／若しくはユーザ入力の受け取り若しくは解釈が可能な様々な他の要素のいずれかなどの、様々な要素のいずれかを含んでもよい。
【００４４】
通信デバイス１０６は、１つ以上のＵＩＣＣ（Universal Integrated Circuit Card）（単数又は複数）（ユニバーサル集積回路カード（単数又は複数））３４５などの、ＳＩＭ（Subscriber Identity Module）（加入者識別モジュール）機能を含む１つ以上のスマートカード３４５を更に含んでもよい。
【００４５】
図示されるように、ＳＯＣ３００は、通信デバイス１０６に対するプログラム命令を実行することができるプロセッサ（単数又は複数）３０２と、グラフィック処理を実行し、ディスプレイ３６０に表示信号を提供することができる表示回路３０４とを含んでもよい。プロセッサ（単数又は複数）３０２は、メモリ管理ユニット（memory management unit）（ＭＭＵ）３４０に結合してもよく、ＭＭＵ３４０は、プロセッサ（単数又は複数）３０２からアドレスを受信し、それらのアドレスを、メモリ（例えば、メモリ３０６、読み出し専用メモリ（read only memory）（ＲＯＭ）３５０、ＮＡＮＤフラッシュメモリ３１０）内の位置に変換し、並びに／又は表示回路３０４、近距離無線通信回路２２９、セルラ通信回路３３０、コネクタＩ／Ｆ３２０、及び／若しくはディスプレイ３６０などの、その他の回路若しくはデバイスに変換するように構成されてもよい。ＭＭＵ３４０は、メモリ保護、及びページテーブルの変換又はセットアップを実行するように構成されてもよい。いくつかの実施形態では、ＭＭＵ３４０は、プロセッサ（単数又は複数）３０２の一部分として含められてもよい。
【００４６】
上述のように、通信デバイス１０６は、無線及び／又は有線通信回路を使用して通信するように構成することができる。通信デバイス１０６は、第１のＲＡＴに従って動作する第１のネットワークノードに接続する要求を送信し、無線デバイスが第１のネットワークノード及び第２のＲＡＴに従って動作する第２のネットワークノードと実質的に同時接続を維持することができるというインジケーションを送信するように構成することができる。無線デバイスはまた、第２のネットワークノードに接続する要求を送信するように構成されてもよい。要求は、無線デバイスが第１及び第２のネットワークノードと実質的に同時接続を維持することができるというインジケーションを含んでもよい。更に、無線デバイスは、第１及び第２のネットワークノードとの二重接続性が確立されたことを示すインジケーションを受信するように構成することができる。
【００４７】
本明細書で説明するように、通信デバイス１０６は、ＮＳＡのＮＲ動作のためにＵＬデータを時分割多重化するために上記の機能を実施するためのハードウェア及びソフトウェア構成要素を含むことができる。通信デバイス１０６のプロセッサ３０２は、例えば、記憶媒体（例えば、非一時的コンピュータ可読記憶媒体）に記憶されたプログラム命令を実行することによって、本明細書に記載される機能の一部又はすべてを実行するように構成されてもよい。あるいは（又は追加して）、プロセッサ３０２は、ＦＰＧＡ（フィールドプログラマブルゲートアレイ）などのプログラム可能ハードウェア要素として、又はＡＳＩＣ（特定用途向け集積回路）として構成されてもよい。あるいは（又は追加して）、通信デバイス１０６のプロセッサ３０２は、他の構成要素３００、３０４、３０６、３１０、３２０、３２９、３３０、３４０、３４５、３５０、３６０のうちの１つ以上と連携して、本明細書で説明する機能の一部又はすべてを実施するように構成することができる。
【００４８】
加えて、本明細書で説明するように、プロセッサ３０２は、１つ以上の処理要素を含むことができる。したがって、プロセッサ３０２は、プロセッサ３０２の機能を実行するように構成された１つ以上の集積回路（integrated circuits）（ＩＣ）を含むことができる。加えて、各集積回路は、プロセッサ（単数又は複数）３０２の機能を実行するように構成された回路（例えば、第１の回路、第２の回路等）を含むことができる。
【００４９】
更に、本明細書で説明するように、セルラ通信回路３３０及び近距離無線通信回路３２９は、それぞれ１つ以上の処理要素を含むことができる。換言すれば、セルラ通信回路３３０に１つ以上の処理要素を含ませることができ、同様に、１つ以上の処理要素を近距離無線通信回路３２９に含めることができる。このように、セルラ通信回路３３０は、セルラ通信回路３３０の機能を実行するように構成された１つ以上の集積回路（ＩＣ）を含むことができる。加えて、各集積回路は、セルラ通信回路２３０の機能を実行するように構成された回路（例えば、第１の回路、第２の回路等）を含むことができる。同様に、近距離無線通信回路３２９は、近距離無線通信回路３２の機能を実行するように構成された１つ以上のＩＣを含むことができる。加えて、各集積回路は、近距離通信回路３２９の機能を実行するように構成された回路（例えば、第１の回路、第２の回路等）を含むことができる。
図４−基地局のブロック図
【００５０】
図４は、いくつかの実施形態に係る、基地局１０２の例示的なブロック図を示す。図４の基地局は、あり得る基地局の単なる一例にすぎないことに留意されたい。図示のとおり、基地局１０２は、基地局１０２に関するプログラム命令を実行することができるプロセッサ（単数又は複数）４０４を含み得る。プロセッサ（単数又は複数）４０４はまた、プロセッサ（単数又は複数）４０４からアドレスを受信し、それらのアドレスを、メモリ（例えば、メモリ４６０及び読み出し専用メモリ（ＲＯＭ）４５０）内の位置に、又はその他の回路若しくはデバイスに変換するように構成することができるメモリ管理ユニット（ＭＭＵ）４４０に結合することができる。
【００５１】
基地局１０２には、少なくとも１つのネットワークポート４７０を含めることができる。ネットワークポート４７０は、電話網に結合し、ＵＥデバイス１０６などの複数のデバイスに、図１及び図２において上述したような電話網へのアクセスを提供するように構成することができる。
【００５２】
ネットワークポート４７０（又は、追加ネットワークポート）はまた、又は代替的に、セルラネットワーク、例えば、セルラサービスプロバイダのコアネットワーク、に結合するように構成することができる。このコアネットワークは、ＵＥデバイス１０６などの複数のデバイスに、移動性に関連するサービス及び／又は他のサービスを提供することができる。いくつかの場合には、ネットワークポート４７０は、コアネットワークを介して電話網に結合することができ、かつ／又は、そのコアネットワークは、電話網（例えば、セルラサービスプロバイダによるサービスを受ける他のＵＥデバイス間の）を提供することができる。
【００５３】
いくつかの実施形態では、基地局１０２は、次世代基地局、例えば、５Ｇ新無線（５Ｇ  ＮＲ）基地局、又は「ｇＮＢ」であってよい。そのような実施形態では、基地局１０２は、レガシー発展型パケットコア（ＥＰＣ）ネットワーク及び／又はＮＲコア（ＮＲＣ）ネットワークに接続することができる。加えて、基地局１０２は、５Ｇ  ＮＲセルと見なすことができ、１つ以上の遷移及び受信点（ＴＲＰ）を含むことができる。加えて、５Ｇ  ＮＲに従って動作可能なＵＥが、１つ以上のｇＮＢ内の１つ以上のＴＲＰに接続されてもよい。
【００５４】
基地局１０２は、少なくとも１つのアンテナ４３４と、場合によっては複数のアンテナを含んでもよい。少なくとも１つのアンテナ４３４は、無線送受信機として動作するように構成することができ、更に、無線機４３０を介してＵＥデバイス１０６と通信するように構成することができる。アンテナ４３４は、通信チェーン４３２を介して、無線機４３０と通信する。通信チェーン４３２は、受信チェーン、送信チェーン又はその両方であってもよい。無線機４３０は、５Ｇ  ＮＲ、ＬＴＥ、ＬＴＥ−Ａ、ＧＳＭ、ＵＭＴＳ、ＣＤＭＡ２０００、Ｗｉ−Ｆｉなどを含むがこれらには限定されない種々の無線通信規格によって、通信するように構成することができる。
【００５５】
基地局１０２は、複数の無線通信規格を使用して無線通信するように構成することができる。いくつかの例では、基地局１０２は、複数の無線機を備えることができ、これによって、基地局１０２は、複数の無線通信技術に従って通信することができる。例えば、一つの可能性として、基地局１０２は、ＬＴＥに従って通信を実行するためのＬＴＥ無線機、並びに、５Ｇ  ＮＲに従って通信するための５Ｇ  ＮＲ無線機を備えてもよい。このような場合、基地局１０２は、ＬＴＥ基地局及び５Ｇ  ＮＲ基地局の両方として動作することができる。別の可能性として、基地局１０２は、マルチモード無線機を備えることができる。このマルチモード無線機は、複数の無線通信技術（例えば、５Ｇ  ＮＲ及びＷｉ−Ｆｉ、ＬＴＥ及びＷｉ−Ｆｉ、ＬＴＥ及びＵＭＴＳ、ＬＴＥ及びＣＤＭＡ２０００、ＵＭＴＳ及びＧＳＭ、等）のうちのいずれかに従って、通信を行なうことができる。
【００５６】
本明細書で更にこの後に説明するように、ＢＳ１０２は、本明細書で説明する機能を実施する又は実施をサポートするためのハードウェア並びにソフトウェアの構成要素を含むことができる。基地局１０２のプロセッサ４０４は、例えば、記憶媒体（例えば、非一時的コンピュータ可読記憶媒体）に記憶されたプログラム命令を実行することによって、本明細書に記載する方法の一部又はすべてを実行する又は実行をサポートするように構成することができる。あるいは、プロセッサ４０４は、ＦＰＧＡ（フィールドプログラマブルゲートアレイ）などのプログラム可能ハードウェア要素として、又はＡＳＩＣ（特定用途向け集積回路）若しくはこれらの組み合わせとして、構成されてもよい。あるいは（又は追加して）、ＢＳ１０２のプロセッサ４０４は、他の構成要素４３０、４３２、４３４、４４０、４５０、４６０、４７０のうちの１つ以上と連携して、本明細書で説明する機能の一部若しくはすべてを実施する又は実施をサポートするように、構成することができる。
【００５７】
加えて、本明細書で説明するように、プロセッサ（単数又は複数）４０４は、１つ以上の処理要素からなることができる。換言すれば、プロセッサ（単数又は複数）４０４に１つ以上の処理要素を含めることができる。したがって、プロセッサ（単数又は複数）４０４は、プロセッサ（単数又は複数）４０４の機能を実行するように構成された１つ以上の集積回路（ＩＣ）を含むことができる。加えて、各集積回路は、プロセッサ（単数又は複数）４０４の機能を実行するように構成された回路（例えば、第１の回路、第２の回路等）を含むことができる。
【００５８】
更に、本明細書で説明するように、無線機４３０は、１つ以上の処理要素からなることができる。換言すれば、無線機４３０に１つ以上の処理要素を含めることができる。したがって、無線機４３０は、無線機４３０の機能を実行するように構成された１つ以上の集積回路（ＩＣ）を含むことができる。加えて、各集積回路は、無線機４３０の機能を実行するように構成された回路（例えば、第１の回路、第２の回路等）を含むことができる。
図５：セルラ通信回路のブロック図
【００５９】
図５は、いくつかの実施形態に係る、セルラ通信回路の例示的な簡略化したブロック図を示す。図５のセルラ通信回路のブロック図は、あり得るセルラ通信回路の単なる一例にすぎないことに留意されたい。実施形態によれば、セルラ通信回路３３０は、上述の通信デバイス１０６などの通信デバイスに含まれてもよい。上述したように、通信デバイス１０６は、他のデバイスの中でもとりわけ、ユーザ機器（ＵＥ）デバイス、モバイルデバイス若しくは移動局、無線デバイス若しくは無線ステーション、デスクトップコンピュータ若しくはコンピューティングデバイス、モバイルコンピューティングデバイス（例えば、ラップトップコンピュータ、ノートブックコンピュータ、又はポータブルコンピューティングデバイス）、タブレット、及び／又はデバイスの組み合わせであってよい。
【００６０】
セルラ通信回路３３０は、（図３に）図示のように、アンテナ３３５ａ〜ｂ及び３３６などの１つ以上のアンテナに（例えば、通信可能に、直接又は間接的に）結合することができる。いくつかの実施形態では、セルラ通信回路３３０は、複数のＲＡＴのための（例えば、ＬＴＥ用の第１の受信チェーン及び５Ｇ  ＮＲ用の第２の受信チェーン）、専用の受信チェーン（専用のプロセッサ及び／若しくは無線機を含む、並びに／又はそれらに、例えば、通信可能に、直接若しくは間接的に結合された）を含むことができる。例えば、図５に示すように、セルラ通信回路３３０は、モデム５１０とモデム５２０とを含むことができる。モデム５１０は、例えば、ＬＴＥ又はＬＴＥ−Ａなどの第１のＲＡＴに従って通信するように構成されてもよく、モデム５２０は、例えば、５Ｇ  ＮＲなどの第２のＲＡＴに従って通信するように構成されてもよい。
【００６１】
図示のように、モデム５１０は、１つ以上のプロセッサ５１２、及びプロセッサ５１２と通信するメモリ５１６を含むことができる。モデム５１０は、無線周波数（ＲＦ）フロントエンド５３０と通信してもよい。ＲＦフロントエンド５３０は、無線信号を送受信するための回路を含むことができる。例えば、ＲＦフロントエンド５３０は、受信回路（ＲＸ）５３２と送信回路（ＴＸ）５３４とを含むことができる。いくつかの実施形態では、受信回路５３２は、アンテナ３３５ａを介して無線信号を受信するための回路を含むことができるダウンリンク（downlink）（ＤＬ）フロントエンド５５０と通信することができる。
【００６２】
同様に、モデム５２０は、１つ以上のプロセッサ５２２、及びプロセッサ５２２と通信するメモリ５２６を含むことができる。モデム５２０は、ＲＦフロントエンド５４０と通信してもよい。ＲＦフロントエンド５４０は、無線信号を送受信するための回路を含むことができる。例えば、ＲＦフロントエンド５４０は、受信回路５４２と送信回路５４４とを含むことができる。いくつかの実施形態では、受信回路５４２は、アンテナ３３５ｂを介して無線信号を受信するための回路を含むことができるＤＬフロントエンド５６０と通信することができる。
【００６３】
いくつかの実施形態では、スイッチ５７０は、送信回路５３４をアップリンク（uplink）（ＵＬ）フロントエンド５７２に結合することができる。加えて、スイッチ５７０は、送信回路５４４をＵＬフロントエンド５７２に結合することができる。ＵＬフロントエンド５７２は、アンテナ３３６を介して無線信号を送信するための回路を含むことができる。これにより、セルラ通信回路３３０が第１のＲＡＴ（例えばモデム５１０によりサポートされるような）に従って送信する命令を受信すると、スイッチ５７０は、モデム５１０が第１のＲＡＴに従って信号を送信することができる（例えば、送信回路５３４及びＵＬフロントエンド５７２を含む送信チェーンを介して）第１の状態に切り替えることができる。同様に、セルラ通信回路３３０が第２のＲＡＴ（例えばモデム５２０によりサポートされるような）に従って送信する命令を受信すると、スイッチ５７０は、モデム５２０が第２のＲＡＴに従って信号を送信することができる（例えば、送信回路５４４及びＵＬフロントエンド５７２を含む送信チェーンを介して）第２の状態に切り替えることができる。
【００６４】
いくつかの実施形態では、セルラ通信回路３３０は、第１の無線アクセス技術（ＲＡＴ）に従って第１のセルと第１の無線リンクを確立するように構成することができ、第１のセルは、第１のシステム帯域幅で動作し、第２の無線アクセス技術（ＲＡＴ）に従って第２のセルと第２の無線リンクを確立し、第２のセルは、第２のシステム帯域幅で動作する。更に、セルラ通信回路３３０は、セルラ通信回路３３０が第１のＲＡＴ及び第２のＲＡＴの両方に従ってスケジューリングされたアップリンク動作を有するか否か判定し、アップリンク動作が第１のＲＡＴ及び第２のＲＡＴの両方に従ってスケジューリングされる場合、第１のＲＡＴ用のアップリンクデータ及び第２のＲＡＴ用のアップリンクデータを時分割多重化（ＴＤＭ）することにより第１のＲＡＴ及び第２のＲＡＴの両方に対するアップリンク動作を実行するように構成することができる。いくつかの実施形態では、第１のＲＡＴ及び第２のＲＡＴの両方に従ってアップリンク動作がスケジューリングされる場合、第１のＲＡＴ用のアップリンクデータ及び第２のＲＡＴ用のアップリンクデータを時分割多重化（ＴＤＭ）することにより第１のＲＡＴ及び第２のＲＡＴの両方に対してアップリンク動作を実行するために、セルラ通信回路３３０は、第１のＲＡＴに従った伝送用の第１のＵＬサブフレームの割り当て、及び第２のＲＡＴに従った伝送用の第２のＵＬサブフレームの割り当てを受信するように構成することができる。いくつかの実施形態では、アップリンクデータのＴＤＭは、セルラ通信回路３３０の物理層において実行されてもよい。いくつかの実施形態では、セルラ通信回路３３０は、第１又は第２のＲＡＴのうちの１つに従って制御シグナリング用のそれぞれのＵＬサブフレームの一部分の割り当てを受信するように更に構成することができる。
【００６５】
本明細書で説明するように、モデム５１０は、上記の機能を実施するための、又はＮＳＡのＮＲ動作のためにＵＬデータを時分割多重化するためのハードウェア及びソフトウェア構成要素、並びに本明細書で説明する様々な他の技術を含むことができる。プロセッサ５１２は、例えば、記憶媒体（例えば、非一時的コンピュータ可読記憶媒体）に記憶されたプログラム命令を実行することによって、本明細書に記載される機能の一部又はすべてを実行するように構成されてもよい。あるいは（又は追加して）、プロセッサ５１２は、ＦＰＧＡ（フィールドプログラマブルゲートアレイ）などのプログラム可能ハードウェア要素として、又はＡＳＩＣ（特定用途向け集積回路）として構成されてもよい。あるいは（又は追加して）、プロセッサ５１２は、他の構成要素５３０、５３２、５３４、５５０、５７０、５７２、３３５、及び３３６のうちの１つ以上と連携して、本明細書で説明する機能の一部又はすべてを実施するように、構成することができる。
【００６６】
加えて、本明細書で説明するように、プロセッサ５１２は、１つ以上の処理要素を含むことができる。したがって、プロセッサ５１２は、プロセッサ５１２の機能を実行するように構成された１つ以上の集積回路（ＩＣ）を含むことができる。加えて、各集積回路は、プロセッサ５１２の機能を実行するように構成された回路（例えば、第１の回路、第２の回路等）を含むことができる。
【００６７】
本明細書で説明するように、モデム５２０は、ＮＳＡのＮＲ動作のためにＵＬデータを時分割多重化するために上記の機能を実施するためのハードウェア及びソフトウェア構成要素、並びに本明細書で説明する様々な他の技術を含むことができる。プロセッサ５２２は、例えば、記憶媒体（例えば、非一時的コンピュータ可読記憶媒体）に記憶されたプログラム命令を実行することによって、本明細書に記載される機能の一部又はすべてを実行するように構成されてもよい。あるいは（又は追加して）、プロセッサ５２２は、ＦＰＧＡ（フィールドプログラマブルゲートアレイ）などのプログラム可能ハードウェア要素として、又はＡＳＩＣ（特定用途向け集積回路）として構成されてもよい。あるいは（又は追加して）、プロセッサ５２２は、他の構成要素５４０、５４２、５４４、５５０、５７０、５７２、３３５、及び３３６のうちの１つ以上と連携して、本明細書で説明する機能の一部又はすべてを実施するように、構成することができる。
【００６８】
加えて、本明細書で説明するように、プロセッサ５２２は、１つ以上の処理要素を含むことができる。したがって、プロセッサ５２２は、プロセッサ５２２の機能を実行するように構成された１つ以上の集積回路（ＩＣ）を含むことができる。加えて、各集積回路は、プロセッサ５２２の機能を実行するように構成された回路（例えば、第１の回路、第２の回路等）を含むことができる。
ＬＴＥとの５Ｇ  ＮＲの非独立型（Non-standalone）（ＮＳＡ）動作
【００６９】
いくつかの実施形態では、第５世代（fifth generation）（５Ｇ）無線通信が、現在の無線通信規格（例えば、ＬＴＥ）と同時に最初に展開されることになる。例えば、ＬＴＥと５Ｇ新無線（５Ｇ  ＮＲ又はＮＲ）との間の二重接続性は、ＮＲの初期展開の一部として規定されている。これにより、図６Ａ〜Ｂに示すように、発展型パケットコア（ＥＰＣ）ネットワーク６００は、現在のＬＴＥ基地局（例えば、ｅＮＢ  ６０２）と通信し続けることができる。加えて、ｅＮＢ６０２は、５Ｇ  ＮＲ基地局（例えば、ｇＮＢ６０４）と通信してもよく、ＥＰＣネットワーク６００とｇＮＢ６０４との間でデータを通過させてもよい。これにより、ＥＰＣネットワーク６００を使用（又は再利用）することができ、ｇＮＢ６０４は、例えば、ＵＥに増加したダウンリンクスループットを提供するためにＵＥのための追加の能力として機能することができる。換言すれば、ＬＴＥを制御プレーンシグナリングに使用し、ＮＲをユーザプレーンシグナリングに使用することができる。このようにして、ＬＴＥを用いて、ネットワークへの接続を確立することができ、ＮＲをデータサービスに使用することができる。
【００７０】
図６Ｂは、ｅＮＢ６０２及びｇＮＢ６０４のための提案されたプロトコルスタックを示している。図に示すように、ｅＮＢ６０２は、無線リンク制御（radio link control）（ＲＬＣ）層６２２ａ〜ｂとインターフェースするメディアアクセス制御（medium access control）（ＭＡＣ）層６３２を含む。ＲＬＣ層６２２ａはまた、パケットデータ収束プロトコル（packet data convergence protocol）（ＰＤＣＰ）層６１２ａとインターフェースし、ＲＬＣ層６２２ｂは、ＰＤＣＰ層６１２ｂとインターフェースすることができる。ＬＴＥアドバンスト・リリース１２において規定されるような二重接続性と同様に、ＰＤＣＰ層６１２ａは、マスタセルグループ（master cell group）（ＭＣＧ）ベアラを介してＥＰＣネットワーク６００にインターフェースすることができ、ＰＤＣＰ層６１２ｂは、分割ベアラを介してＥＰＣネットワーク６００とインターフェースすることができる。
【００７１】
更に、図に示すように、ｇＮＢ６０４は、ＲＬＣ層６２４ａ〜ｂとインターフェースするＭＡＣ層６３４を含むことができる。ＲＬＣ層６２４ａは、ｅＮＢ６０２とｇＮＢ６０４との間の情報交換及び／又は連携（例えば、ＵＥのスケジューリング）のために、Ｘ2インターフェースを介してｅＮＢ６０２のＰＤＣＰ層６２２ｂとインターフェースすることができる。加えて、ＲＬＣ層６２４ｂは、ＰＤＣＰ層６１４とインターフェースすることができる。ＬＴＥアドバンスト・リリース１２において規定されるような二重接続性と同様に、ＰＤＣＰ層６１４は、二次セルグループ（secondary cell group）（ＳＣＧ）ベアラを介してＥＰＣネットワーク６００とインターフェースすることができる。これにより、ｅＮＢ６０２をマスタノード（master node）（ＭｅＮＢ）と見なすことができ、ｇＮＢ６０４を二次ノード（secondary node）（ＳｇＮＢ）と見なすことができる。いくつかのシナリオでは、ＵＥは、ＭｅＮＢ及びＳｇＮＢの両方との接続を維持する必要があり得る。このようなシナリオにおいて、ＭｅＮＢは、ＥＰＣへの無線リソース制御（radio resource control）（ＲＲＣ）接続を維持するために使用することができ、ＳｇＮＢは、能力（例えば、追加のダウンリンク及び／又はアップリンクスループット）のために使用することができる。
【００７２】
一般に、非独立型（ＮＳＡ）実装形態は、アップリンク（ＵＬ）及びダウンリンク（ＤＬ）の両方において二重接続性を用いる。換言すれば、二重接続性は、ＵＬ及びＤＬの両方において２つのアクティブ無線リンクを必要とする。いくつかの実装形態では、周波数帯域の組み合わせに依存して、２つの（実質的に）同時ＵＬ接続は、ＵＥでの受信機感度劣化を引き起こすことがある。例えば、いくつかの提案された実装形態では、ＵＥは、３４００〜３８００ＭＨｚでＮＲにおいて１つのＤＬ及び１つのＵＬ接続を（実質的に）同時にサポートしながら、帯域１（ＵＬ：１９２０〜１９８０ＭＨｚ、ＤＬ：２１１０〜２１７０ＭＨｚ）、３（ＵＬ：１７１０〜１７８５ＭＨｚ、ＤＬ：１８０５〜１８８０ＭＨｚ）、７（ＵＬ：２５００〜２５７０ＭＨｚ、ＤＬ：２６２０〜２６９０ＭＨｚ）、及び２０（ＵＬ：８３２〜８６２ＭＨｚ、ＤＬ：７９１〜８２１ＭＨｚ）上のＬＴＥにおいて４つのＤＬ及び１つのＵＬ接続をサポートする必要があることがある。このような実装形態において、ＬＴＥのＵＬ帯域３及びＮＲのＵＬの２次高調波からのＵＥの５Ｇ  ＮＲ送信機で生成された５次相互変調積（5th order intermodulation product）（ＩＭ５）は、（実質的に）同時ＵＬ動作中のＬＴＥのＤＬ帯域７の周波数になり得る。同様に、ＬＴＥのＵＬ帯域２０及びＮＲのＵＬ伝送の４次高調波は、ＬＴＥのＤＬ帯域７受信と干渉し得る５次相互変調積を生成し、したがって、ＬＴＥのＤＬ帯域７に対する受信の感度を低下させることがある。
【００７３】
加えて、将来の仕様のＮＲのＮＳＡは、ＬＴＥコンポーネントキャリアの帯域幅内でのＬＴＥのＵＬ及びＮＲのＵＬの共存、及びＬＴＥコンポーネントキャリアの帯域幅内でのＬＴＥのＤＬ及びＮＲのＤＬの共存をサポートすることをＵＥに要求することがある。更に、そのような実装形態は、ＮＲ物理層設計への影響を最小限にして、そのような共存を可能にし、かつＮＲと共存するＬＴＥキャリア上で動作するＬＴＥレガシーデバイス（例えば、ＮＲをサポートしないデバイス）に影響を及ぼさないことを更に必要とすることがある。
【００７４】
これにより、ＮＲのＮＳＡのいくつかの実装形態では、ＵＥは、異なる周波数上の複数のＵＬキャリア（例えば、少なくとも１つのＬＴＥキャリア及び異なるキャリア周波数の少なくとも１つのＮＲキャリア）で構成されているが、所与の時間にＬＴＥキャリア又はＮＲキャリアのいずれかで動作することができる。換言すれば、ＵＥは、ＬＴＥ及びＮＲキャリアの対の中で、所与の時間にキャリアのうちの１つのみで動作するように構成されてもよい。このような実装形態はまた、所与の時間に２つ以上のＵＬキャリア上で（実質的に）同時動作を可能にすることができることに留意されたい。
【００７５】
本明細書で説明される実施形態は、ＵＥが５ＧのＮＳＡをサポートするためのシステム、方法、及びメカニズムを定義する。
ＮＲのＮＳＡ動作のための能力インジケーション
【００７６】
いくつかの実施形態では、通信デバイス１０６などのＵＥは、特定の帯域及び／又は周波数上でＬＴＥ並びにＮＲの共存をサポートしてもよい。加えて、ＵＥは、帯域の組み合わせについて、受信機の感度劣化を回避するためにＮＳＡモードにおけるＵＬ共有を必要とし得ることを判定してもよい。これにより、ＵＥは、ＵＬ共有モードがＬＴＥ／ＮＲの帯域の組み合わせに使用されることをネットワークに通知する必要があることがある。いくつかの実施形態では、条件付きフィールドをＵＥ能力メッセージに追加することができる。条件付きフィールドは、割り当てられた帯域の組み合わせについてＵＬ共有モードが使用されるか否かを示すことができる。加えて、条件付きフィールドは、ＵＥがＮＳＡの動作をサポートする帯域／周波数を示すことができる。更に、いくつかの実施形態では、例えば、以下に更に説明するように、ＵＥは、時分割多重化（ＴＤＭ）によりＮＳＡ動作を実行するように構成することができることに留意されたい。しかし、他の実施形態では、ＵＥは、周波数分割多重化（frequency division multiplexing）（ＦＤＭ）又はＭＡＣ層多重化などの他のメカニズムによりＮＳＡ動作を実行するように構成することができる。
ＲＡＴ間の二重接続性のためのＴＤＭ伝送
【００７７】
いくつかの実施形態では、通信デバイス１０６などのＵＥは、例えば、上記の図５に示すようにセルラ通信回路３３０を介して、５Ｇ  ＮＲ及びＬＴＥ帯域のための単一のＵＬのＲＦチェーンを使用することができる。いくつかの実施形態では、ＵＥは、例えば、上記の図５に示すようにセルラ通信回路３３０を介して、５Ｇ  ＮＲ及びＬＴＥにおける同時（又は実質的に同時）ＤＬ動作のための２つのダウンリンクＲＦチェーンをサポートすることができる。いくつかの実施形態では、ｅＮＢ６０２などのＬＴＥセルは、同じキャリア上でＬＴＥ／ＮＲ共存をサポートしないことがあり、したがって、異なる周波数上で、時分割多重化（ＴＤＭ）を行なうことができる。いくつかの実施形態では、ｅＮＢ６０２などのＬＴＥセルは、同じキャリア上でＬＴＥ／ＮＲ共存をサポートすることができ、それによって同じ周波数上でＴＤＭを行なうことができる。いくつかの実施形態では、ＵＬ伝送のためのＴＤＭは、プロトコルスタックの物理層で行なうことができる。
【００７８】
例えば、図７は、いくつかの実施形態に係る、ＵＬ伝送のためのＴＤＭ用のＬＴＥ制御プレーン及びＮＲユーザプレーンの一例を示している。図に示すように、一部の実施形態において、制御プレーンは、無線リソース制御（ＲＲＣ）層７００と、ＬＴＥパケットデータ収束プロトコル（ＰＤＣＰ）層７０２と、ＬＴＥ無線リンク制御（ＲＬＣ）層７０４と、ＬＴＥメディアアクセス制御（ＭＡＣ）層７０６と、ＬＴＥ物理アップリンク（Ｐｈｙ  ＵＬ）層７０８とを含んでもよい。加えて、ユーザプレーンは、ＮＲ−ＰＤＣＰ層７１２と、ＮＲ−ＲＬＣ層７１４と、ＮＲ−ＭＡＣ層７１６と、ＮＲ−Ｐｈｙ  ＵＬ層７１８とを含むことができる。これにより、ＬＴＥを制御及び／又は接続シグナリング（例えば、ＲＲＣ層７００を介して）並びにデータシグナリングに用いることができ、データシグナリングのためにＮＲを使用してもよい。いくつかの実施形態では、ＵＬデータサブフレームは、例えば、以下に更に説明するように、ＵＬ物理層において、例えばＴＤＭのＵＬ伝送７２０により示すように、時分割多重化（ＴＤＭ）することができる。いくつかの実施形態では、ＬＴＥセル（又は基地局）が単一のキャリア上のＬＴＥ／ＮＲ共存をサポートしない場合、ＵＬ物理層におけるＴＤＭは、異なる周波数上であってもよい。いくつかの実施形態では、ＬＴＥセル（又は基地局）が単一のキャリア上のＬＴＥ／ＮＲ共存をサポートする場合、ＵＬ物理層におけるＴＤＭは、同じ周波数上であってもよい。
【００７９】
上述したように、Ｘ2インターフェースは、例えば、ｅＮＢ６０２などのＬＴＥ基地局と、例えば、ｇＮＢ６０４などの５Ｇ  ＮＲ基地局との間の通信を可能にしてもよい。具体的には、いくつかの実施形態では、Ｘ2は、制御プレーンのＬＴＥ−ＰＤＣＰ層７０２がユーザプレーンのＮＲ−ＲＬＣ層７１４と通信を交換することを可能にすることができる。いくつかの実施形態では、ＬＴＥ基地局とＮＲ基地局との間の同期（例えば、サブフレームの割り当て）は、Ｘ2インターフェースを介して可能にすることができる。準静的リソース割り当てであってもよい、これらの割り当ては、ｅＮＢとｇＮＢとを連携させるために交換することができる。例えば、ＬＴＥにおいて、特定のＵＬリソースは、他のチャネル及びリソースの中でもとりわけ、サウンディング参照信号（sounding reference signals）（ＳＲＳ）、物理アップリンク制御チャネル（physical uplink control channel）（ＰＵＣＣＨ）、及び物理ランダムアクセスチャネル（physical random access channel）（ＰＲＡＣＨ）を含め、準静的に予約及び／又は構成されている。加えて、ＮＲに関して、同様の準静的割り当て手法を採用してもよい。これにより、準静的に予約されたリソースの競合する使用を回避するために、ｅＮＢ及びｇＮＢは、Ｘ2インターフェースを介して構成を交換することができる。例えば、図８は、いくつかの実施形態に係る、ＮＲのＮＳＡ動作のためのＴＤＭ用のＸ2インターフェースを介してｅＮＢとｇＮＢとの間で交渉される例示的なあり得るサブフレーム割り当てを示す。図示のように、サブフレーム８１１は、例えば、ＬＴＥ物理アップリンク制御チャネル（ＰＵＣＣＨ）８０４のために予約された１つ以上の周波数帯域と、ＮＲデータ伝送８０２のために予約された周波数帯域とを含むことができる。第１のサブフレーム８１１の全体のために周波数帯域を予約してもよいことを留意されたい。付加的な例として、サブフレーム８１３は、ＬＴＥのＰＵＣＣＨ８０４のために予約された１つ以上の周波数帯域、並びにＮＲデータ伝送８０２及びＬＴＥサウンディング参照信号（ＳＲＳ）８０８の両方について予約された周波数帯域を含むことができる。サブフレームの第１の部分は、ＮＲデータ伝送８０２のために予約してもよく、サブフレームの第２の部分は、周波数帯域上でＬＴＥのＳＲＳ８０８のために予約してもよいことに留意されたい。換言すれば、ＮＲデータ伝送８０２及びＬＴＥのＳＲＳ８０８は、同じ周波数帯域に割り当てられ、同じサブフレーム内だが、サブフレーム内の異なる時間にスケジューリングされてもよい。更なる例として、サブフレーム８１５は、ＬＴＥのＰＵＣＣＨ８０４のために予約された１つ以上の周波数帯域、並びにＮＲデータ伝送８０２のために予約された周波数帯域及びＬＴＥ物理ランダムアクセスチャネル（ＰＲＡＣＨ）８０６のために予約された周波数帯域を含むことができる。
【００８０】
いくつかの実施形態では、ＬＴＥ及びＮＲのためのアップリンクスロットの準静的予約は、ｅＮＢ及びｇＮＢの両方に対するスケジューラを簡略化することができる。これにより、各ＲＡＴのＵＬのためのタイムドメインリソースは、準静的に構成することができる。いくつかの実施形態では、構成は、ＲＲＣ再構成におけるＵＥ単位であってもよい。例えば、ＮＳＡのＵＥに対して、アップリンクスロット０、２、４、６、８は、ＬＴＥアップリンクのために予約することができ、スロット１、３、５、７、９は、ＮＲアップリンクのために予約することができる。いくつかの実施形態では、ＲＡＴ間ＤＣのＵＥは、（共通）構成を共有することができることに留意されたい。更に、いくつかの実施形態では、スロット／サブフレーム用のデータが動的にスケジューリングされてもよいことに留意されたい。例えば、ＮＳＡモードのＵＥに対して、それぞれのＬＴＥアップリンクスロットにおいて、ＰＵＳＣＨがスケジューリングされているか否か、ＬＴＥのＰＵＳＣＨに対してどのリソースブロックがスケジューリングされるかは、レガシーＬＴＥスケジューラによって動的にスケジューリングすることができる。
【００８１】
図９は、いくつかの実施形態に係る、ＮＲのＮＳＡ動作のためのＴＤＭ用のサブフレームの例示的な準静的予約を示す。図に示すように、サブフレーム９１０、９１２、９１４、及び９１６において第１のＵＥのＬＴＥのＰＵＣＣＨ９０４に対して、１つ以上の周波数帯域がスケジューリング（又は割り当て）されてもよい。加えて、サブフレーム９１０及び９１４における周波数帯域は、第２のＵＥのＬＴＥアップリンク９０２に対してスケジューリング（又は割り当て）されてもよい。同様に、サブフレーム９１２及び９１６における周波数帯域は、第２のＵＥのＮＲアップリンク９０６に対してスケジューリング（又は割り当て）されてもよい。更に、サブフレーム９１６内のＬＴＥのＰＲＡＣＨ９０８に対して、周波数帯域をスケジューリング（又は割り当て）することができる。
【００８２】
しかし、ＵＬ用に別々に予約されたリソースは、現在のＬＴＥダウンリンクに影響を及ぼすことがある。例えば、周波数分割二重化（frequency division duplexing）（ＦＤＤ）は、４つのサブフレームの確認応答遅延を想定している。したがって、いくつかの実施形態では、アップリンクサブフレームのＴＤＭは、特定のダウンリンクサブフレームのミュートに対応することができる。例えば、図９に示す準静的構成に基づいて、ｅＮＢスケジューラ及び／又はＵＥは、どのダウンリンクサブフレームをスキップするのかを知ることができる。例えば、図１０は、いくつかの実施形態に係る、ＮＲのＮＳＡ動作のためのＴＤＭ用の例示的なＬＴＥ確認応答タイムラインを示す。図に示すように、ＤＬサブフレームｎは、ＵＬサブフレームｎ＋４において４サブフレーム後で確認応答（ＡＣＫ）することができる。同様に、ＤＬサブフレームｎ＋１は、ＵＬサブフレームｎ＋５において確認応答することができる。しかし、サブフレームｎ＋６がＮＲ伝送用にスケジューリングされてもよいので、ｅＮＢのスケジューラ、ＵＥのいずれか、又はその両方により、ＤＬサブフレームｎ＋２をスキップ又はミュートしてもよい。
【００８３】
あるいは、いくつかの実施形態では、ＬＴＥのＤＬサブフレームのミュート（又はスキップ）によるＬＴＥのＤＬリソースの潜在的制約を緩和するために、ＡＣＫ多重化（又はＡＣＫバンドル）が使用されてもよい。ＡＣＫの多重化／バンドルは、ＬＴＥの時分割二重化（time division duplexing）（ＴＤＤ）において既にサポートされていることに留意されたい。したがって、このような実施形態では、ｅＮＢは、既に標準化されているＬＴＥのＴＤＤフレーム構造のうちの１つとして、同様（又は同じ）となるように、ＲＡＴ間ＵＥのためのＤＬ／ＵＬパターンを構成してもよい。例えば、図１１は、いくつかの実施形態に係る、ＮＲのＮＳＡ動作のためのＴＤＭ用の例示的なバンドルされた確認応答ＬＴＥタイムラインを示す。図に示すように、サブフレームｎ−２からｎ＋１に対するＬＴＥのＤＬサブフレーム確認応答は、バンドル（又は多重化）されて、ＬＴＥのＵＬサブフレームｎ＋５において確認応答されてもよい。同様に、サブフレームｎ＋２からｎ＋５に対するＬＴＥのＤＬサブフレーム確認応答は、バンドル（又は多重化）されて、ＬＴＥのＵＬサブフレームｎ＋９において確認応答されてもよい。
【００８４】
上述したように、ＵＥは、指定された数のＵＬサブフレーム後に、基地局からのサブフレームの受信（ＡＣＫ）又は非受信（ＮＡＣＫ）を確認応答することができる。例えば、ＬＴＥ通信に対して、ｅＮＢから受信したサブフレームは、典型的には、受信の４つのサブフレーム後に確認応答（ＡＣＫ又はＮＡＣＫのいずれか）される。しかし、更に上述したように、ＮＲのＮＳＡモードで動作するＵＥは、ＡＣＫ／ＮＡＣＫに対するＬＴＥタイムラインを満たすことができないことがある。したがって、いくつかの実施形態では、ＬＴＥのＡＣＫ／ＮＡＣＫ及びＮＲのＡＣＫ／ＮＡＣＫは、ＮＲのＰＵＣＣＨ上で多重化されてもよい。例えば、ＬＴＥのＰＵＣＣＨタイプ３に類似するＮＲのＰＵＣＣＨフォーマットを定義し、ＬＴＥからのＡＣＫ／ＮＡＣＫを他のＮＲキャリアからとして受け取ることができる。別の例として、ＬＴＥのＡＣＫ／ＮＡＣＫペイロードに対して、ＮＲのＰＵＣＣＨフォーマットのフィールドを予約することができる。いくつかの実施形態では、ＬＴＥのＡＣＫ／ＮＡＣＫ及びＮＲのＡＣＫ／ＮＡＣＫは、ＬＴＥのＰＵＣＣＨ上で多重化されてもよい。例えば、ＮＲからのＡＣＫ／ＮＡＣＫは、他のＬＴＥキャリアからとして受け取り、ＬＴＥのＡＣＫ／ＮＡＣＫと多重化することができる。いくつかの実施形態では、ＬＴＥのＡＣＫ／ＮＡＣＫと多重化されたＮＲのＡＣＫ／ＮＡＣＫは、ＬＴＥのＰＵＣＣＨフォーマット３、４、又は５のうちの１つを使用して送信されてもよい。
【００８５】
いくつかの実施形態では、複数のサブフレームからのＬＴＥのＡＣＫ／ＮＡＣＫは、異なるＬＴＥキャリアからとして多重化して、ＬＴＥのＰＵＣＣＨフォーマット３、４、又は５を使用して送信することができる。フォーマット選択は、多数（又はサイズ）の保留中のＤＬのＡＣＫ／ＮＡＣＫに基づいてもよい。いくつかの実施形態では、複数のサブフレームからのＡＣＫ／ＮＡＣＫは、バンドルして（例えば、異なるＤＬサブフレーム間のＡＮＤ演算により）、ＬＴＥのＰＵＣＣＨフォーマット３、４、又は５を使用して送信することができる。いくつかの実施形態では、バンドルは、ＬＴＥのＰＵＣＣＨリソースの不足の結果として、複数のサブフレームからＤＬのＡＣＫ／ＮＡＣＫを多重化することができる。いくつかの実施形態では、ＲＡＴ（例えば、ＬＴＥ及びＮＲ）とサブフレームとの間のＡＣＫ／ＮＡＣＫビットのマッピングは、ＵＥとｅＮＢ／ｇＮＢとの間のＲＲＣシグナリングにより判定することができることを留意されたい。
【００８６】
いくつかの実施形態では、ＴＤＭにおけるＬＴＥ非周期チャネル状態情報（channel state information）（ＣＳＩ）報告（例えば、チャネル品質指標（channel quality index）（ＣＱＩ）、プリコーディング行列インジケータ（precoding matrix indicators）（ＰＭＩ）、及びランクインジケータ（rank indicator）（ＲＩ）の報告）のために、ｅＮＢは、関連するＬＴＥのＵＬサブフレームを有するＤＬサブフレームにおける非周期ＣＳＩ報告を要求するのみでよい。換言すれば、ｅＮＢは、ＬＴＥ（例えば、ＬＴＥサブフレーム）においてＵＥが送信することになるサブフレームに対応するＤＬサブフレームにおいて、非周期ＣＳＩ報告を要求するのみでよい。別の言い方をすれば、ｅＮＢは、ＮＲ（例えば、ＮＲサブフレーム）においてＵＥが送信することになるサブフレームに対応するＤＬサブフレームにおいて、非周期ＣＳＩ報告を要求しなくてもよい。あるいは、いくつかの実施形態では、ｅＮＢがＮＲサブフレームに対応するＤＬサブフレームにおいて非周期ＣＳＩ報告を要求する場合、ＵＥは、ＮＲサブフレームによるＬＴＥ非周期ＣＳＩ報告をＮＲのＰＵＣＣＨ又はＮＲのＰＵＳＣＨで送信されるＮＲ制御ペイロードに多重化することができる。更なる代替として、いくつかの実施形態では、ｅＮＢがＮＲサブフレームに対応するＤＬサブフレームにおいて非周期ＣＳＩ報告を要求する場合、ＵＥは、その後のＬＴＥサブフレームに対する非周期ＣＳＩ報告を遅延することができる。いくつかの実施形態では、ＬＴＥのＰＵＣＣＨのための専用領域が、ＮＲのＰＵＣＣＨに予約されてもよい。
【００８７】
いくつかの実施形態では、ＴＤＭにおけるＬＴＥ周期ＣＳＩ報告のために、ｅＮＢは、ＬＴＥサブフレームにおける周期ＣＳＩ報告をスケジューリングすることができ、ＬＴＥ周期ＣＳＩ報告をＴＤＭパターン周期性（例えば、１０ミリ秒）の整数倍に制限することができる。例えば、ＬＴＥのＦＤＤに対して、１０、２０、４０、８０、又は１６０ミリ秒の周期性を有する構成を選択してもよい。あるいは、いくつかの実施形態では、ＴＤＭにおけるＬＴＥ周期ＣＳＩ報告のために、ｅＮＢは、任意のサブフレームにおける周期ＣＳＩ報告をスケジューリングすることができ、ＵＥは、ＮＲサブフレームによるＬＴＥ周期ＣＳＩ報告をＮＲのＰＵＣＣＨ又はＮＲのＰＵＳＣＨで送信されるＮＲ制御ペイロードに多重化することができる。いくつかの実施形態では、ＬＴＥのＰＵＣＣＨのための専用領域が、ＮＲのＰＵＣＣＨに予約されてもよい。
【００８８】
いくつかの実施形態では、ＬＴＥスケジューリング要求（scheduling request）（ＳＲ）に対して、ｅＮＢは、ＬＴＥサブフレームで受信したＳＲに確認応答するのみでよく、ＳＲ周期性をＴＤＭパターン周期性（例えば、１０ミリ秒）の整数倍に更に制限することができる。例えば、ＬＴＥのＦＤＤに対して、１０、２０、４０、又は８０ミリ秒の周期性を有する構成を選択してもよい。あるいは、いくつかの実施形態では、ＵＥは、ＬＴＥのＳＲをＬＴＥ又はＮＲサブフレームのいずれかで送信することができる。このような実施形態では、ＬＴＥのＳＲのＮＲサブフレーム伝送のために、ＵＥは、ＮＲのＰＵＣＣＨ又はＮＲのＰＵＳＣＨにおいて送信されるＮＲ制御ペイロードにＬＴＥのＳＲを多重化することができる。
【００８９】
説明したように、いくつかの実施形態では、ＬＴＥのＴＤＤフレーム構造は、ＮＲのＮＳＡ動作をサポートするＵＥをスケジューリングするために使用することができる。このような実施形態では、ＬＴＥのＴＤＤフレーム構造に従ったＬＴＥのＤＬスケジュールを使用して、ＮＲのＵＬを送信することができる。加えて、ハイブリッド自動再送要求（hybrid automatic repeat request）（ＨＡＲＱ）のためのＴＤＤメカニズム、並びにＬＴＥ向けに設計されたＡＣＫフィードバックを再利用することができる。図１２は、いくつかの実施形態に係る、ＮＲのＮＳＡ動作のためのＴＤＭ用の変更された様々なＬＴＥのＴＤＤ構成の例を示す。図示のように、本来スケジューリングされたＬＴＥのＤＬ伝送は、７つのＬＴＥのＴＤＤ構成のそれぞれに対してＮＲのＵＬ伝送としてスケジューリングされてもよい。
【００９０】
いくつかの実施形態では、スロットの最後のシンボル内のＳＲＳなどの準静的に予約され得るＬＴＥリソースに対応するために、ミニＮＲスロットを利用して、予約されたシンボルを可能にすることができる。図１３は、いくつかの実施形態に係る、ＮＲのＮＳＡ動作のためのＴＤＭ用のＮＲミニスロットを有するサブフレームの例示的なシーケンスを示す。図に示すように、サブフレーム１３１１は、ＵＥに対するＬＴＥのＰＵＣＣＨに割り当てられた１つ以上の周波数帯域１３０４と、ＵＥに対するＮＲのＵＬ伝送に割り当てられた周波数帯域１３０２とを含むことができる。同様に、サブフレーム１３１３は、別のＵＥに対するＬＴＥのＰＵＣＣＨに割り当てられた１つ以上の周波数帯域１３１０と、そのＵＥに対するＬＴＥのＵＬ伝送に割り当てられた周波数帯域１３０６とを含むことができる。加えて、サブフレーム１３１５は、ＵＥに対するＬＴＥのＰＵＣＣＨに割り当てられた１つ以上の周波数帯域１３０４と、ＵＥに対するＮＲのＵＬ伝送に割り当てられた周波数帯域１３０２とを含むことができる。加えて、サブフレーム１３１５は、ＮＲのＵＬ伝送に割り当てられた周波数帯域と重ね合わさるＳＲＳのための周波数帯域１３０８の割り当てを含んでもよく、したがって、ＮＲのＵＬ伝送割り当ては、サブフレーム１３１５のすべてを利用しないミニＮＲスロットを指定してもよい。
【００９１】
いくつかの実施形態では、ネットワーク及びＵＥの両方が、複数の独立した電力制御ループ動作点を維持することができる。例えば、共通周波数上のＴＤＭに対して、ＲＡＴの両方（例えば、ＬＴＥ及びＮＲ）がパスレス推定（周波数にのみ依存する）を共有することができるが、リンク適応及びチャネルコーディングは、ＲＡＴ間で異なっていてもよく、したがって、電力制御動作点は、ＲＡＴごとに異なっていてもよい。別の例として、異なる周波数上のＴＤＭに対して、各ＵＬは、異なる経路損失及び異なるリンク適応を有してもよく、それにより、電力制御動作点は、ＲＡＴごとに異なっていてもよい。
【００９２】
いくつかの実施形態では、ＵＬタイミングの進行は、伝送周波数帯域に依存してもよい。換言すれば、ＬＴＥ／ＮＲのＵＬは、各帯域で送信することができ、異なる周波数は、異なるチャネル伝搬を有することができるので、各ＲＡＴは独立したタイミング制御を有することが好ましいことがある。ＬＴＥ／ＮＲのＵＬ伝送が同じ帯域を共有している場合であっても、各ＲＡＴに対するビーム形成も、パケットデータプロトコル（packet data protocol）（ＰＤＰ）を変更することもできることに留意されたい。これにより、いくつかの実施形態では、ＬＴＥ伝送及びＮＲ伝送がそれぞれの帯域上にあり、観測されたチャネル特性が類似していない（例えば、ＰＤＰ）ように、ＵＥにリソースが割り当てられている場合、ＵＥは、それぞれのタイミング制御に従うことができる。あるいは、観測されたチャネル特性が類似している場合には、ＬＴＥ伝送及びＮＲ伝送がＬＴＥ帯域上にあるようにＵＥにリソースが割り当てられる場合に、ＬＴＥタイミング制御に従うことができる。一方、観測されたチャネル特性が類似し、ＬＴＥ伝送及びＮＲ伝送がＮＲ帯域上にあるようにＵＥにリソースが割り当てられている場合、ＬＴＥ伝送は、ＬＴＥタイミング制御を使用することができ、ＮＲ伝送は、ＮＲタイミング制御に従うことができる。
【００９３】
図１４は、いくつかの実施形態に係る、時分割多重化（ＴＤＭ）を使用して、ＲＡＴ間の二重接続性（ＤＣ）をサポートするための方法の一例のブロック図を示す。図１４に示す方法は、他の技術及びデバイスの中でもとりわけ、上記の図に示すシステム、技術、又はデバイスの任意のものと併せて用いることができる。種々の実施形態において、図示の方法要素の一部は、同時に実行してもよく、図示のものとは異なる順序で実行してもよく、又は省略してもよい。必要に応じて、追加の方法要素をも実行してもよい。図示のとおり、この方法は以下のように動作してよい。
【００９４】
１４０２において、ＵＥ１０６などの無線デバイスは、第１のＲＡＴ及び第２のＲＡＴに従ってセルラリンクを確立することができる。これは、第１のＲＡＴに従って動作する第１の基地局に接続することを含むことができ、第１のシステム帯域幅（例えば、第１のキャリア周波数を含む）で動作する第１のセルを提供することができる。これは、第２のＲＡＴに従って動作する第２の基地局に接続することを更に含むことができ、第１のシステム帯域幅とは異なることができる（例えば、重なり合わない）第２のシステム帯域幅（例えば、第２のキャリア周波数を含む）で動作する第２のセルを提供することができる。第１の基地局及び第２の基地局は、異なる物理基地局であってもよく、又は同一の物理基地局によって提供されてもよく、論理だけが異なっていてもよい（例えば、基地局は、第１のＲＡＴ及び第２のＲＡＴの両方に従ったセルを提供することができる）ことに留意されたい。
【００９５】
いくつかの実施形態では、ＲＡＴのうちの１つは、ＬＴＥであってもよく、他のＲＡＴは、ＮＲであってもよい。例えば、第１のＲＡＴは、ＮＲであってもよく、第２のＲＡＴは、ＬＴＥであってもよい。セルラリンクが確立される順序は、任意であってもよく、又はネットワークアーキテクチャ（例えば、基地局のうちの１つがＮＳＡ動作用に意図されている及び／又は二次基地局である場合）、相対的信号強度、相対的優先度レベル等を潜在的に含む、様々な考慮事項のいずれかに依存してもよい。１つの可能性として、無線デバイスは、最初に、本明細書で上述したｅＮＢ６０２などのＬＴＥ基地局にシグナリングを送信して、ＬＴＥネットワークへの接続を確立することができる。換言すれば、無線デバイスは、ＬＴＥ基地局との接続を要求してもよい。
【００９６】
いくつかの実施形態では、メッセージを送信する前に、無線デバイスは、例えば、図５を参照して上述したように、ＬＴＥアップリンク送信専用の送信チェーンにアップリンクアンテナを結合（例えば、スイッチを介して）することができる。あるいは、少なくともいくつかの実施形態によれば、無線デバイスは、別個のアンテナを使用してＬＴＥ及び５Ｇ  ＮＲアップリンク動作を同時に実行することができる十分なアップリンクアンテナを含むことができる。
【００９７】
先行する例に続いて、いくつかの例では、無線デバイスは、本明細書で上述したｇＮＢ６０４などの５Ｇ  ＮＲ基地局にシグナリングを送信して、５Ｇ  ＮＲネットワークへの接続を確立してもよい。換言すれば、無線デバイスは、５Ｇ  ＮＲ基地局との接続を要求してもよい。いくつかの実施形態では、シグナリングを送信する前に、無線デバイスは、例えば、図５を参照して上述したように、５Ｇ  ＮＲアップリンク送信専用の送信チェーンにアップリンクアンテナを結合（例えば、スイッチを介して）することができる。あるいは、上述したように、無線デバイスは、別個のアンテナを使用してＬＴＥ及び５Ｇ  ＮＲアップリンク動作を同時に実行することができる十分なアップリンクアンテナを含むことができる。
【００９８】
いくつかの例では、無線デバイスは、二重接続性が確立されたというインジケーション（例えば、ＬＴＥ基地局からの）を受信してもよい。換言すれば、無線デバイスは、ＬＴＥ基地局及び５Ｇ  ＮＲ基地局の両方との接続が確立されたことを示す１つ以上のビットを含むメッセージを受信することができる。いくつかの実施形態では、ＵＥは、例えば、図５を参照して上述したように、ＬＴＥダウンリンク伝送を受信するための専用の受信チェーンに結合されたダウンリンクアンテナを介してインジケーションを受信することができる。
【００９９】
１４０４において、無線デバイスは、第１のＲＡＴ及び第２のＲＡＴの一方又は両方が所与の時間に（例えば、同じサブフレーム若しくはスロットにおいて、又は別の方法で時間的に重複して）送信するようにスケジューリングされているか否かを判定することができる。判定は、第１の基地局及び／又は第２の基地局からの準静的及び／又は動的にスケジューリングするインジケーションに基づくことができる。例えば、いくつかの例では、５Ｇ  ＮＲ動作は、ダウンリンクスロットとアップリンクスロットとの間の時分割二重化を含むことができ、インジケーションは、どのスロットがダウンリンクスロットであり、どのスロットがアップリンクスロットであるかを含むことができる。ＬＴＥ動作において、特定のリソースは、制御シグナリングのために準静的に構成されてもよい。例えば、特定のリソースは、例えば、上述したように、ＬＴＥ物理アップリンク制御チャネル（ＰＵＣＣＨ）、物理ランダムアクセスチャネル（ＰＲＡＣＨ）、及び／又はサウンディング参照信号（ＳＲＳ）のためのＬＴＥアップリンクキャリア内に確保されてもよい。加えて、いくつかの実施形態によれば、特定のリソースを、データ通信のために設ける（例えば、ダウンリンク制御情報を介してアップリンク許可を提供することにより動的にスケジューリングする）ことができる。
【０１００】
これにより、１つの可能性として、無線デバイスは、第１のＲＡＴに対する第１のサブフレームについてのアップリンクスケジューリング許可を受信することができ、また第２のＲＡＴに対する第１のサブフレームについてのアップリンクスケジューリング許可を受信することもでき、第１のＲＡＴに対する第１のサブフレームについてのアップリンクスケジューリング許可の受信及び第２のＲＡＴに対する第１のサブフレームについてのアップリンクスケジューリング許可の受信に基づいて、無線デバイスが第１のＲＡＴ及び第２のＲＡＴの両方に従ってスケジューリングされたアップリンク動作を有することを判定することができる。あるいは、無線デバイスが第１のＲＡＴ及び第２のＲＡＴの両方に従ってスケジューリングされたアップリンク動作を有するか否かの判定は、ネットワークによって（例えば、いくつかの例では、ｇＮＢ及びｅＮＢのマスタノードによって）実行してもよく、無線デバイスは、単に、ネットワークによって提供されたアップリンク割り当てに従って、一方若しくは他方のＲＡＴのみ又は両方のＲＡＴに関するアップリンク動作に対してスケジューリングされてもよい。
【０１０１】
アップリンク動作が、一方又は他方のＲＡＴのみに従ってスケジューリングされる場合、そのＲＡＴに関連付けられたシステム帯域幅（例えば、アップリンクキャリア周波数）上で、アップリンク動作が実行されてもよい。これにより、無線デバイスは、アップリンク動作が第１のＲＡＴのみに従ってスケジューリングされる場合に、第１のシステム帯域幅内で第１のＲＡＴに対するアップリンク動作を実行することができ、アップリンク動作が第２のＲＡＴのみに従ってスケジューリングされる場合に、第２のシステム帯域幅内で第２のＲＡＴに対するアップリンク動作を実行することができる。
【０１０２】
しかし、第１のＲＡＴ及び第２のＲＡＴの両方に従ってアップリンク動作がスケジューリングされる場合、１４０６において、無線デバイスは、第１のＲＡＴ及び第２のＲＡＴに対するデータ送信について時分割多重化（ＴＤＭ）を用いて、第１のＲＡＴ及び第２のＲＡＴに対してアップリンク動作を実行することができる。換言すれば、無線デバイスは、第１のＲＡＴ及び第２のＲＡＴ上で同時に送信しなくてもよい。別の言い方をすれば、無線デバイスは、第１のＲＡＴ及び第２のＲＡＴ上で同時に送信するように構成しなくてもよい。このように、少なくともいくつかの実施形態では、無線デバイスは、第１のＲＡＴ及び第２のＲＡＴ上の同時送信をサポート（及び／又は実行）することができない場合がある。いくつかの実施形態では、ＵＬサブフレームのためのＴＤＭは、無線デバイスのＵＬ物理層で行なうことができる。いくつかの実施形態では、ＴＤＭは、単一のキャリア（例えば、第１又は第２の周波数帯域のうちの１つの上で行なわれる）又は多数のキャリアであってよい。
【０１０３】
いくつかの実施形態では、第１のＲＡＴに従ったＵＬ伝送に第１のサブフレームを割り当てることができ、第２のＲＡＴに従ったＵＬ伝送に第２のサブフレームを割り当てることができる。いくつかの実施形態では、各サブフレームは、第１又は第２のＲＡＴのうちの１つに従った制御シグナリングの割り当てを含むことができる。いくつかの実施形態では、第１のＲＡＴに従ったＵＬ伝送に割り当てられたサブフレームに対応する第２のＲＡＴに対するＤＬサブフレームは、第２のＲＡＴのＡＣＫ／ＮＡＣＫタイムラインを維持するためにスキップ（又はミュート）されてもよい。あるいは、いくつかの実施形態では、第２のＲＡＴに対するＡＣＫ／ＮＡＣＫは、多重化及び／又はバンドルされてもよい。このような実施形態では、第２のＲＡＴに対してスケジューリングされた後続のＵＬサブフレーム及び／又は第１のＲＡＴに対してスケジューリングされた後続のＵＬサブフレーム（例えば、第１のＲＡＴに従ったＵＬ伝送のペイロードに追加される）のいずれかで、第２のＲＡＴに対するバンドルされた／多重化されたＡＣＫ／ＮＡＣＫを送信することができる。
【０１０４】
同様に、いくつかの実施形態では、無線デバイスは、非周期及び／又は周期のチャネル状態情報（ＣＳＩ）のために基地局のうちの１つからの要求を受信することができる。このような実施形態では、無線デバイスがＣＳＩ報告を要求する基地局に送信するようにスケジューリングされたＵＬサブフレームに対応するＤＬサブフレームで要求が受信された場合、無線デバイスは、ＣＳＩ報告で応答することができる。例えば、第２の基地局がＣＳＩ報告を要求する場合に、それが無線デバイスが第２の基地局に送信するようにスケジューリングされたＵＬサブフレームに対応するＤＬサブフレームで受信された場合、無線ステーションは、ＣＳＩ報告で応答することができる。いくつかの実施形態では、対応するＵＬサブフレームを有するＤＬサブフレームでＣＳＩ報告要求が受信されない（例えば、第２の基地局によってＣＳＩ報告が要求されるが、第１の基地局への送信に割り当てられた対応するＵＬサブフレームを有するＤＬサブフレームで受信される）場合、無線ステーションは、要求する基地局への送信のためにスケジューリングされた後続のＵＬサブフレームまで、ＣＳＩ報告の送信を遅延することができる。あるいは、ＣＳＩ報告は、制御ペイロード上の任意のＵＬサブフレームに多重化されてもよい。例えば、第２の基地局が、第１の基地局への送信に割り当てられたＵＬサブフレームに対応するＤＬサブフレームでＣＳＩ報告を要求する場合、無線ステーションは、第１の基地局への制御チャネル送信のペイロードにＣＳＩ報告を多重化することができる。いくつかの実施形態では、第１のＲＡＴの制御チャネル内の領域は、第２のＲＡＴに対するＣＳＩ報告のために予約されてもよい。
【０１０５】
いくつかの実施形態では、少なくとも一部、第１のＲＡＴに関連付けられた第１の周波数帯域の割り当て及び第２のＲＡＴに関連付けられた第２の周波数帯域の割り当てに基づいて、無線デバイスは、無線デバイスが第１及び第２の周波数帯域を用いた同時アップリンク送信をサポートしないことを判定することができ、無線デバイスは、無線デバイス能力メッセージに含まれた条件付きフィールドにより、第１及び／又は第２の基地局に、ＵＬ共有（例えば、ＴＤＭにより第１及び第２の基地局の両方への送信のために単一の周波数を用いた）を示すことができる。いくつかの実施形態では、無線デバイスのＵＬ共有を示すことに加えて、条件付きフィールドは、無線デバイスがＮＳＡ動作をサポートするどの帯域及び／又は周波数かを更に示すことができる。
【０１０６】
いくつかの実施形態では、例えば、以下に更に説明するように、第１及び第２の基地局の両方に通信するために複数の周波数を使用する無線デバイスが、第１及び第２の基地局に再同調時間（例えば、能力メッセージ内の）及び／又は無線周波数（ＲＦ）切替ギャップを報告することができる。再同調時間及び／又はＲＦ切替ギャップは、無線デバイスが第１の周波数（例えば、第１の基地局とのアップリンク通信に使用される）から第２の周波数（例えば、第２の基地局とのアップリンク通信に使用される）に同調するのに必要な時間周期のインジケーションであってよい。いくつかの実施形態では、第１の周波数から第２の周波数に同調するための再同調時間（及び／又はＲＦ切替ギャップ）は、第２の周波数から第１の周波数に同調するための再同調時間（及び／又はＲＦ切替ギャップ）とは異なることがある。いくつかの実施形態では、再同調時間（及び／又はＲＦ切替ギャップ）の分解能は、シンボル又は複数（例えば、「Ｋ」個）のシンボルのオーダーであってもよい。いくつかの実施形態では、無線デバイスは、バイナリ情報、例えば、再同調時間（及び／若しくはＲＦ切替ギャップ）が必要でない（例えば、複数のＵＬのＲＦチェーン）又は再同調時間（及び／若しくはＲＦ切替ギャップ）が必要とされる（例えば、共有のＵＬのＲＦチェーン）、を提供することができる。このような実施形態では、ネットワークは、（所定の）再同調時間／ＲＦ切替ギャップ（例えば、標準で規定されるような「Ｋ」個のシンボル）を使用することができる。いくつかの実施形態では、ネットワークは、無線デバイスが報告する再同調時間（及び／又はＲＦ切替ギャップ）に無線デバイスが対応するためのＰＵＣＣＨフォーマット及びミニスロット長を設定することができる。これにより、ネットワークは、無線デバイスごとに送信を構成（又はスケジューリング）することができる。いくつかの実施形態では、無線デバイスは、再同調時間（及び／又はＲＦ切替ギャップ）を報告しなくてもよく、ネットワークは、二重接続性の無線デバイス用のＵＬ伝送を構成するときの「最悪の場合」の再同調時間（及び／又はＲＦ切替ギャップ）を想定する（例えば、標準で規定されたように）ことができる。
【０１０７】
図１５Ａ〜Ｂは、ＮＲ−ＬＴＥ二重接続性のための例示的なアップリンクパターンを示す。図１５Ａ〜Ｂに示す例は、ＮＲのＴＤＤスペクトルに適用してもよいが、同様の手法を、ＮＲのＦＤＤスペクトルにも適用してもよい。加えて、図１５Ａ〜Ｂに示す例は、ＮＲ−ＬＴＥ二重接続性を例示するが、同様の手法は、ＮＲ−ＮＲ二重接続性又はキャリアアグリゲーションにも適用することができる。加えて、異なるアップリンクパターンを使用してもよい。
【０１０８】
図１５Ａに示すように、ＬＴＥ及びＮＲ通信は、同一の列挙（numerology）（例えば、１５ｋＨｚのサブキャリア間隔）を使用してスケジューリングされてもよい。換言すれば、ＬＴＥ及びＮＲ通信は、同一のサブキャリア間隔を使用してスケジューリングされてもよい。ＬＴＥアップリンク通信は、第１の周波数（例えば、ＬＴＥのＵＬ周波数１）上で行なうことができ、ＮＲ通信（アップリンク及びダウンリンク）は、第２の周波数（例えば、ＮＲ周波数３）上で行なうことができる。図示のように、ＮＲダウンリンク通信は、ＬＴＥのＵＬ通信（例えば、サブフレーム０、３、６、及び９）と同じサブフレームにおいて同時に起きる（又は行なう）ことができ、ＮＲアップリンク通信は、ＬＴＥのＵＬ通信が行なわれないサブフレーム（例えば、サブフレーム１、２、４、５、７、及び８）において行なうことができる。したがって、図に示すように、ＬＴＥのＵＬ通信及びＮＲのＵＬ通信を分離する間隔（例えば、追加のＮＲのＤＬサブフレーム）は存在しない。
【０１０９】
図１５Ｂに示すように、ＬＴＥ及びＮＲ通信は、異なる列挙（例えば、ＬＴＥに対して１５ｋＨｚのサブキャリア間隔、ＮＲに対して３０ｋＨｚのサブキャリア間隔）を使用してスケジューリングされてもよい。換言すれば、ＬＴＥ及びＮＲ通信は、異なるサブキャリア間隔を使用してスケジューリングされてもよく、例えば、ＮＲサブキャリア間隔が、ＬＴＥサブキャリア間隔の倍数であってよい。図１５Ａと同様に、ＬＴＥアップリンク通信は、第１の周波数（例えば、ＬＴＥのＵＬ周波数１）上で行なうことができ、ＮＲ通信（アップリンク及びダウンリンク）は、第２の周波数（例えば、ＮＲ周波数３）上で行なうことができる。図に示すように、ＮＲアップリンク通信は、ＬＴＥのＵＬサブフレームの直前及び／又は直後のＮＲサブフレームで行なうことができる（例えば、ＬＴＥサブフレーム０、３、６、及び９、並びにＮＲサブフレーム２、５、８、１１、１４、及び１７）。ＮＲサブフレームの残りは、ＮＲダウンリンク通信に使用されてもよいことに留意されたい。したがって、図に示すように、ＬＴＥのＵＬ通信及びＮＲのＵＬ通信を分離する間隔（例えば、追加のＮＲのＤＬサブフレーム）は存在しない。
【０１１０】
図１６Ａ〜Ｂは、いくつかの実施形態に係る、ＮＲ−ＬＴＥ二重接続性のための例示的なアップリンクパターンを示す。図１６Ａ〜Ｂに示す例は、ＮＲのＴＤＤスペクトルに適用してもよいが、いくつかの実施形態では、同様の手法を、ＮＲのＦＤＤスペクトルにも適用してもよい。加えて、図１６Ａ〜Ｂに示す例は、ＮＲ−ＬＴＥ二重接続性を例示するが、いくつかの実施形態では、同様の手法は、ＮＲ−ＮＲ二重接続性又はキャリアアグリゲーションにも適用することができる。加えて、いくつかの実施形態では、異なるアップリンクパターンを使用してもよい。
【０１１１】
図１６Ａに示すように、いくつかの実施形態によれば、ＬＴＥ及びＮＲ通信は、同一の列挙（例えば、１５ｋＨｚのサブキャリア間隔）を使用してスケジューリングされてもよい。換言すれば、いくつかの実施形態では、ＬＴＥ及びＮＲ通信は、同一のサブキャリア間隔を使用してスケジューリングされてもよい。いくつかの実施形態では、ＬＴＥアップリンク通信は、第１の周波数（例えば、ＬＴＥのＵＬ周波数１）上で行なうことができ、ＮＲ通信（アップリンク及びダウンリンク）は、第２の周波数（例えば、ＮＲ周波数３）上で行なうことができる。図に示すように、ＮＲダウンリンク通信は、ＬＴＥのＵＬ通信（例えば、サブフレーム０、３、６、及び９）と同じサブフレームにおいて同時に起きる（又は行なう）ことができる。いくつかの実施形態では、ＮＲアップリンクサブフレームは、１つ以上の保護期間（例えば、保護１及び２）を含むことができる。いくつかの実施形態では、保護期間は、ＵＥによって報告されるＲＦ切替ギャップ（及び／又は再同調時間）に（少なくとも一部）基づく、及び／又はＲＦ切替ギャップ（及び／又は再同調期間）に関する要件を報告するＵＥに（少なくとも一部）基づく標準によって規定することができる。したがって、図に示すように、ＬＴＥアップリンクサブフレームの直後のＮＲアップリンクサブフレーム（例えば、サブフレーム１、４、及び７）は、サブフレームの開始時の保護期間を含んでもよく、ＬＴＥアップリンクサブフレームの直前のＮＲアップリンクサブフレーム（例えばサブフレーム２、５、及び８）は、サブフレームの終了時の保護期間を含んでもよい。換言すれば、ＬＴＥアップリンクからＮＲアップリンクへ及びＬＴＥアップリンクへのＮＲアップリンクの遷移の間に保護期間が発生してもよい。
【０１１２】
図１６Ｂに示すように、いくつかの実施形態によれば、ＬＴＥ及びＮＲ通信は、異なる列挙（例えば、ＬＴＥに対して１５ｋＨｚのサブキャリア間隔、ＮＲに対して３０ｋＨｚのサブキャリア間隔）を使用してスケジューリングされてもよい。換言すれば、いくつかの実施形態では、ＬＴＥ及びＮＲ通信は、異なるサブキャリア間隔を使用してスケジューリングされてもよく、例えば、ＮＲサブキャリア間隔が、ＬＴＥサブキャリア間隔の倍数であってよい。いくつかの実施形態では、ＬＴＥアップリンク通信は、第１の周波数（例えば、ＬＴＥのＵＬ周波数１）上で行なうことができ、ＮＲ通信（アップリンク及びダウンリンク）は、第２の周波数（例えば、ＮＲ周波数３）上で行なうことができる。図に示すように、ＮＲアップリンク通信は、ＬＴＥのＵＬサブフレームの直前及び／又は直後のＮＲサブフレームで行なうことができる（例えば、ＬＴＥサブフレーム０、３、６、及び９、並びにＮＲサブフレーム２、５、８、１１、１４、及び１７）。ＮＲサブフレームの残りは、ＮＲダウンリンク通信に使用されてもよいことに留意されたい。いくつかの実施形態では、ＮＲアップリンクサブフレームは、１つ以上の保護期間（例えば、保護１及び２）を含むことができる。いくつかの実施形態では、保護期間は、ＵＥによって報告されるＲＦ切替ギャップ（及び／又は再同調時間）に（少なくとも一部）基づく、及び／又はＲＦ切替ギャップ（及び／又は再同調期間）に関する要件を報告するＵＥに（少なくとも一部）基づく標準によって規定することができる。したがって、図に示すように、ＬＴＥアップリンクサブフレームの直後のＮＲアップリンクサブフレーム（例えば、サブフレーム３、９、及び１５）は、サブフレームの開始時の保護期間を含んでもよく、ＬＴＥアップリンクサブフレームの直前のＮＲアップリンクサブフレーム（例えばサブフレーム５、１１、及び１７）は、サブフレームの終了時の保護期間を含んでもよい。換言すれば、ＬＴＥアップリンクからＮＲアップリンクへ及びＬＴＥアップリンクへのＮＲアップリンクの遷移の間に保護期間が発生してもよい。
【０１１３】
図１７Ａ〜Ｂは、いくつかの実施形態に係る、ＮＲ−ＬＴＥ二重接続性のための更なる例示的なアップリンクパターンを示す。図１７Ａ〜Ｂに示す例は、ＮＲのＴＤＤスペクトルに適用してもよい。しかし、いくつかの実施形態では、同様の手法をＮＲのＦＤＤスペクトルにも適用することができる。加えて、図１６Ａ〜Ｂに示す例は、ＮＲ−ＬＴＥ二重接続性を例示する。しかし、いくつかの実施形態では、同様の手法をＮＲ−ＮＲ二重接続性又はＮＲキャリアアグリゲーションにも適用することができる。加えて、いくつかの実施形態では、異なるアップリンクパターンを使用してもよい。
【０１１４】
図１７Ａに示すように、いくつかの実施形態によれば、ＬＴＥ及びＮＲ通信は、同一の列挙（例えば、１５ｋＨｚのサブキャリア間隔）を使用してスケジューリングされてもよい。換言すれば、いくつかの実施形態では、ＬＴＥ及びＮＲ通信は、同一のサブキャリア間隔を使用してスケジューリングされてもよい。いくつかの実施形態では、ＬＴＥアップリンク通信は、第１の周波数（例えば、ＬＴＥのＵＬ周波数１）上で行なうことができ、ＮＲ通信（アップリンク及びダウンリンク）は、第２の周波数（例えば、ＮＲ周波数３）上で行なうことができる。図示のように、ＮＲダウンリンクサブフレームは、ＬＴＥアップリンク及びＮＲアップリンク通信を分離することができる。いくつかの実施形態では、アップリンク通信を分離するサブフレームにより、ＬＴＥアップリンク通信とＮＲアップリンク通信との間のより大きな保護期間を可能にし、例えば、ＬＴＥアップリンク周波数とＮＲアップリンク周波数との間のより大きな再同調時間を可能にすることができる。図１６Ａを参照して上述した例（例えば、保護期間がＮＲサブフレームの一部分である）に比較して、より大きな再同調時間は、結果としてＵＬの機会の損失となることがあることに留意されたい。いくつかの実施形態では、保護期間は、ＵＥによって報告されるＲＦ切替ギャップ（及び／又は再同調時間）に（少なくとも一部）基づく、及び／又はＲＦ切替ギャップ（及び／又は再同調期間）に関する要件を報告するＵＥに（少なくとも一部）基づく標準によって規定することができる。これにより、図に示すように、ＬＴＥアップリンクサブフレームは、ＬＴＥアップリンクサブフレームの直後かつＬＴＥアップリンクサブフレームの直前のＮＲダウンリンクサブフレームを有することができる。
【０１１５】
図１７Ｂに示すように、いくつかの実施形態によれば、ＬＴＥ及びＮＲ通信は、異なる列挙（例えば、ＬＴＥに対して１５ｋＨｚのサブキャリア間隔、ＮＲに対して３０ｋＨｚのサブキャリア間隔）を使用してスケジューリングされてもよい。換言すれば、いくつかの実施形態では、ＬＴＥ及びＮＲ通信は、異なるサブキャリア間隔を使用してスケジューリングされてもよく、例えば、ＮＲサブキャリア間隔が、ＬＴＥサブキャリア間隔の倍数であってよい。いくつかの実施形態では、ＬＴＥアップリンク通信は、第１の周波数（例えば、ＬＴＥのＵＬ周波数１）上で行なうことができ、ＮＲ通信（アップリンク及びダウンリンク）は、第２の周波数（例えば、ＮＲ周波数３）上で行なうことができる。図示のように、ＮＲダウンリンクサブフレームは、ＬＴＥアップリンク及びＮＲアップリンク通信を分離することができる。いくつかの実施形態では、アップリンク通信を分離するサブフレームにより、ＬＴＥアップリンク通信とＮＲアップリンク通信との間のより大きな保護期間を可能にし、例えば、ＬＴＥアップリンク周波数とＮＲアップリンク周波数との間のより大きな再同調時間を可能にすることができる。図１６Ｂを参照して上述した例（例えば、保護期間がＮＲサブフレームの一部分である）に比較して、より大きな再同調時間は、結果としてＵＬの機会の損失となることがあることに留意されたい。いくつかの実施形態では、保護期間は、ＵＥによって報告されるＲＦ切替ギャップ（及び／又は再同調時間）に（少なくとも一部）基づく、及び／又はＲＦ切替ギャップ（及び／又は再同調期間）に関する要件を報告するＵＥに（少なくとも一部）基づく標準によって規定することができる。これにより、図に示すように、ＬＴＥアップリンクサブフレームは、ＬＴＥアップリンクサブフレームの直後かつＬＴＥアップリンクサブフレームの直前のＮＲダウンリンクサブフレームを有することができる。
【０１１６】
図１８は、いくつかの実施形態に係る、時分割多重化（ＴＤＭ）を使用して、単一キャリア、多周波数のＲＡＴ間の二重接続性（ＤＣ）をサポートするための方法の一例のブロック図を示す。図１８に示す方法は、他の技術及びデバイスの中でもとりわけ、上記の図に示すシステム、技術、又はデバイスの任意のものと併せて用いることができる。種々の実施形態において、図示の方法要素の一部は、同時に実行してもよく、図示のものとは異なる順序で実行してもよく、又は省略してもよい。必要に応じて、追加の方法要素をも実行してもよい。図示のとおり、この方法は以下のように動作してよい。
【０１１７】
１８０２において、ＵＥ１０６などの無線デバイスは、第１のＲＡＴ及び第２のＲＡＴに従ってセルラリンクを確立することができる。これは、第１のＲＡＴに従って動作する第１の基地局に接続することを含むことができ、第１のシステム帯域幅（例えば、第１のキャリア周波数を含む）で動作する第１のセルを提供することができる。これは、第２のＲＡＴに従って動作する第２の基地局に接続することを更に含むことができ、第１のシステム帯域幅とは異なることができる（例えば、重なり合わない）第２のシステム帯域幅（例えば、第２のキャリア周波数を含む）で動作する第２のセルを提供することができる。第１の基地局及び第２の基地局は、異なる物理基地局であってもよく、又は同一の物理基地局によって提供されてもよく、論理だけが異なっていてもよい（例えば、基地局は、第１のＲＡＴ及び第２のＲＡＴの両方に従ったセルを提供することができる）ことに留意されたい。
【０１１８】
いくつかの実施形態では、ＲＡＴのうちの１つは、ＬＴＥであってもよく、他のＲＡＴは、ＮＲであってもよい。例えば、第１のＲＡＴは、ＮＲであってもよく、第２のＲＡＴは、ＬＴＥであってもよい。いくつかの実施形態では、両方のＲＡＴがＮＲであってもよい。セルラリンクが確立される順序は、任意であってもよく、又はネットワークアーキテクチャ（例えば、基地局のうちの１つがＮＳＡ動作用に意図されている及び／又は二次基地局である場合）、相対的信号強度、相対的優先度レベル等を潜在的に含む、様々な考慮事項のいずれかに依存してもよい。１つの可能性として、無線デバイスは、最初に、本明細書で上述したｅＮＢ６０２などのＬＴＥ基地局にシグナリングを送信して、ＬＴＥネットワークへの接続を確立することができる。換言すれば、無線デバイスは、ＬＴＥ基地局との接続を要求してもよい。
【０１１９】
いくつかの実施形態では、メッセージを送信する前に、無線デバイスは、例えば、図５を参照して上述したように、ＬＴＥアップリンク送信専用の送信チェーンにアップリンクアンテナを結合（例えば、スイッチを介して）することができる。あるいは、少なくともいくつかの実施形態によれば、無線デバイスは、別個のアンテナを使用してＬＴＥ及び５Ｇ  ＮＲアップリンク動作を同時に実行することができる十分なアップリンクアンテナを含むことができる。
【０１２０】
先行する例に続いて、いくつかの例では、無線デバイスは、本明細書で上述したｇＮＢ６０４などの５Ｇ  ＮＲ基地局にシグナリングを送信して、５Ｇ  ＮＲネットワークへの接続を確立してもよい。換言すれば、無線デバイスは、５Ｇ  ＮＲ基地局との接続を要求してもよい。いくつかの実施形態では、シグナリングを送信する前に、無線デバイスは、例えば、図５を参照して上述したように、５Ｇ  ＮＲアップリンク送信専用の送信チェーンにアップリンクアンテナを結合（例えば、スイッチを介して）することができる。あるいは、上述したように、無線デバイスは、別個のアンテナを使用してＬＴＥ及び５Ｇ  ＮＲアップリンク動作を同時に実行することができる十分なアップリンクアンテナを含むことができる。
【０１２１】
いくつかの例では、無線デバイスは、二重接続性が確立されたというインジケーション（例えば、ＬＴＥ基地局からの）を受信してもよい。換言すれば、無線デバイスは、ＬＴＥ基地局及び５Ｇ  ＮＲ基地局の両方との接続が確立されたことを示す１つ以上のビットを含むメッセージを受信することができる。いくつかの実施形態では、ＵＥは、例えば、図５を参照して上述したように、ＬＴＥダウンリンク伝送を受信するための専用の受信チェーンに結合されたダウンリンクアンテナを介してインジケーションを受信することができる。
【０１２２】
１８０４において、無線デバイスは、第１のＲＡＴ及び第２のＲＡＴの一方又は両方が所与の時間に（例えば、同じサブフレーム若しくはスロットにおいて、又は別の方法で時間的に重複して）送信するようにスケジューリングされているか否かを判定することができる。判定は、第１の基地局及び／又は第２の基地局からの準静的及び／又は動的にスケジューリングするインジケーションに基づくことができる。例えば、いくつかの例では、５Ｇ  ＮＲ動作は、ダウンリンクスロットとアップリンクスロットとの間の時分割二重化を含むことができ、インジケーションは、どのスロットがダウンリンクスロットであり、どのスロットがアップリンクスロットであるかを含むことができる。ＬＴＥ動作において、特定のリソースは、制御シグナリングのために準静的に構成されてもよい。例えば、特定のリソースは、例えば、上述したように、ＬＴＥ物理アップリンク制御チャネル（ＰＵＣＣＨ）、物理ランダムアクセスチャネル（ＰＲＡＣＨ）、及び／又はサウンディング参照信号（ＳＲＳ）のためのＬＴＥアップリンクキャリア内に確保されてもよい。加えて、いくつかの実施形態によれば、特定のリソースを、データ通信のために設ける（例えば、ダウンリンク制御情報を介してアップリンク許可を提供することにより動的にスケジューリングする）ことができる。
【０１２３】
これにより、１つの可能性として、無線デバイスは、第１のＲＡＴに対する第１のサブフレームについてのアップリンクスケジューリング許可を受信することができ、また第２のＲＡＴに対する第１のサブフレームについてのアップリンクスケジューリング許可を受信することもでき、第１のＲＡＴに対する第１のサブフレームについてのアップリンクスケジューリング許可の受信及び第２のＲＡＴに対する第１のサブフレームについてのアップリンクスケジューリング許可の受信に基づいて、無線デバイスが第１のＲＡＴ及び第２のＲＡＴの両方に従ってスケジューリングされたアップリンク動作を有することを判定することができる。あるいは、無線デバイスが第１のＲＡＴ及び第２のＲＡＴの両方に従ってスケジューリングされたアップリンク動作を有するか否かの判定は、ネットワークによって（例えば、いくつかの例では、ｇＮＢ及びｅＮＢのマスタノードによって）実行してもよく、無線デバイスは、単に、ネットワークによって提供されたアップリンク割り当てに従って、一方若しくは他方のＲＡＴのみ又は両方のＲＡＴに関するアップリンク動作に対してスケジューリングされてもよい。
【０１２４】
アップリンク動作が、一方又は他方のＲＡＴのみに従ってスケジューリングされる場合、そのＲＡＴに関連付けられたシステム帯域幅（例えば、アップリンクキャリア周波数）上で、アップリンク動作が実行されてもよい。これにより、無線デバイスは、アップリンク動作が第１のＲＡＴのみに従ってスケジューリングされる場合に、第１のシステム帯域幅内で第１のＲＡＴに対するアップリンク動作を実行することができ、アップリンク動作が第２のＲＡＴのみに従ってスケジューリングされる場合に、第２のシステム帯域幅内で第２のＲＡＴに対するアップリンク動作を実行することができる。
【０１２５】
しかし、アップリンク動作が第１のＲＡＴ及び第２のＲＡＴの両方に従ってスケジューリングされる場合、１８０６で、例えば、図１６Ａ〜Ｂ及び図１７Ａ〜Ｂを参照して上述したように、無線デバイスは、無線デバイスが再同調期間及び／又はＲＦ切替ギャップを必要とするか否かを示すメッセージを送信することができる。いくつかの実施形態では、この再同調期間（又は再同調時間及び／若しくはＲＦ切替ギャップ）は、能力メッセージ内で報告する（又は示す）ことができる。いくつかの実施形態では、再同調時間及び／又はＲＦ切替ギャップは、無線デバイスが第１の周波数（例えば、第１の基地局とのアップリンク通信に使用される）から第２の周波数（例えば、第２の基地局とのアップリンク通信に使用される）に同調するのに必要な時間周期のインジケーションであってよい。いくつかの実施形態では、第１の周波数から第２の周波数に同調するための再同調時間及び／又はＲＦ切替ギャップは、第２の周波数から第１の周波数に同調するための再同調時間及び／又はＲＦ切替ギャップとは異なることがある。いくつかの実施形態では、再同調時間及び／又はＲＦ切替ギャップの分解能は、シンボル又は複数（例えば、「Ｋ」個）のシンボルのオーダーであってもよい。いくつかの実施形態では、無線デバイスは、バイナリ情報、例えば、再同調時間及び／若しくはＲＦ切替ギャップが必要でない（例えば、複数のＵＬのＲＦチェーン）又は再同調時間及び／若しくはＲＦ切替ギャップが必要とされる（例えば、共有のＵＬのＲＦチェーン）、を提供することができる。そのような実施形態では、ネットワークは、標準により規定された（例えば、「Ｋ」個以下のシンボル）ような再同調時間及び／又はＲＦ切替ギャップを使用してもよい。いくつかの実施形態では、ネットワークは、無線デバイスが報告する再同調時間及び／又はＲＦ切替ギャップに無線デバイスが対応するためのＰＵＣＣＨフォーマット及びミニスロット長を設定することができる。これにより、ネットワークは、無線デバイスごとに送信を構成（又はスケジューリング）することができる。いくつかの実施形態では、無線デバイスは、再同調時間及び／又はＲＦ切替ギャップを報告しなくてもよく、ネットワークは、二重接続性の無線デバイス用のＵＬ伝送を構成するときの「最悪の場合」の再同調時間を想定する（例えば、標準で規定されたように）ことができる。
【０１２６】
１８０８において、無線デバイスは、無線デバイスによって送信されたインジケーションに（少なくとも一部）基づいて、第１及び第２のＲＡＴ用のサブフレーム割り当てを受信してもよい。いくつかの実施形態では、少なくとも一部、第１のＲＡＴに関連付けられた第１の周波数帯域の割り当て及び第２のＲＡＴに関連付けられた第２の周波数帯域の割り当てに基づいて、無線デバイスは、無線デバイスが第１及び第２の周波数帯域を用いたアップリンク送信をサポートしないことを判定することができ、無線デバイスは、無線デバイス能力メッセージに含まれた条件付きフィールドにより、第１及び／又は第２の基地局に、ＵＬ共有（例えば、ＴＤＭにより第１及び第２の基地局の両方への送信のために単一の周波数を用いた）を示すことができる。いくつかの実施形態では、無線デバイスのＵＬ共有を示すことに加えて、条件付きフィールドは、無線デバイスがＮＳＡ動作をサポートするどの帯域及び／又は周波数かを更に示すことができる。
【０１２７】
いくつかの実施形態では、割り当ては、無線デバイスから受信したインジケーションに少なくとも一部基づいて、１つ以上の保護期間を含むことができる。換言すれば、保護期間は、（少なくとも一部）無線デバイスによって報告された再同調時間及び／若しくはＲＦ切替ギャップに基づく、並びに／又は（少なくとも一部）再同調期間及び／若しくはＲＦ切替ギャップに関する要件を報告する無線デバイスに基づく標準によって規定することができる。いくつかの実施形態では、第１のＲＡＴに割り当てられ、かつ第２のＲＡＴに割り当てられたアップリンクサブフレームの直後のアップリンクサブフレームは、サブフレームの開始時に保護期間を含むことができ、第２のＲＡＴに割り当てられたアップリンクサブフレームの直前の第１のＲＡＴに割り当てられたアップリンクサブフレームは、サブフレームの終了時に保護期間を含むことができる。換言すれば、第２のＲＡＴに割り当てられたアップリンクサブフレームから第１のＲＡＴに割り当てられたアップリンクサブフレームへの遷移の間、及び第１のＲＡＴに割り当てられたアップリンクサブフレームから第２のＲＡＴに割り当てられたアップリンクサブフレームへの遷移の間で保護期間が発生してよい。
【０１２８】
いくつかの実施形態では、１つ以上の保護期間は、第２のＲＡＴに割り当てられたサブフレームを第１のＲＡＴに割り当てられたアップリンクサブフレームに分離する、第１のＲＡＴに割り当てられたダウンリンクサブフレームを含むことができる。例えば、第２のＲＡＴに割り当てられたアップリンクサブフレームは、第２のＲＡＴに割り当てられたアップリンクサブフレームの直後かつ第２のＲＡＴに割り当てられたアップリンクサブフレームの直前の、第１のＲＡＴに割り当てられたダウンリンクサブフレームを有することができる。
【０１２９】
いくつかの実施形態では、無線デバイスは、第１のＲＡＴ及び第２のＲＡＴに対するデータ送信について時分割多重化（ＴＤＭ）を用いて、第１のＲＡＴ及び第２のＲＡＴに対してアップリンク動作を実行することができる。換言すれば、無線デバイスは、第１のＲＡＴ及び第２のＲＡＴ上で同時に送信しなくてもよい。別の言い方をすれば、無線デバイスは、第１のＲＡＴ及び第２のＲＡＴ上で同時に送信するように構成しなくてもよい。このように、少なくともいくつかの実施形態では、無線デバイスは、第１のＲＡＴ及び第２のＲＡＴ上の同時送信をサポート（及び／又は実行）することができない場合がある。いくつかの実施形態では、ＵＬサブフレームのためのＴＤＭは、無線デバイスのＵＬ物理層で行なうことができる。いくつかの実施形態では、ＴＤＭは、単一のキャリア（例えば、第１又は第２の周波数帯域のうちの１つの上で行なわれる）又は多数のキャリアであってよい。
【０１３０】
いくつかの実施形態では、第１のＲＡＴに従ったＵＬ伝送に第１のサブフレームを割り当てることができ、第２のＲＡＴに従ったＵＬ伝送に第２のサブフレームを割り当てることができる。いくつかの実施形態では、各サブフレームは、第１又は第２のＲＡＴのうちの１つに従った制御シグナリングの割り当てを含むことができる。いくつかの実施形態では、第１のＲＡＴに従ったＵＬ伝送に割り当てられたサブフレームに対応する第２のＲＡＴに対するＤＬサブフレームは、第２のＲＡＴのＡＣＫ／ＮＡＣＫタイムラインを維持するためにスキップ（又はミュート）されてもよい。あるいは、いくつかの実施形態では、第２のＲＡＴに対するＡＣＫ／ＮＡＣＫは、多重化及び／又はバンドルされてもよい。このような実施形態では、第２のＲＡＴに対してスケジューリングされた後続のＵＬサブフレーム及び／又は第１のＲＡＴに対してスケジューリングされた後続のＵＬサブフレーム（例えば、第１のＲＡＴに従ったＵＬ伝送のペイロードに追加される）のいずれかで、第２のＲＡＴに対するバンドルされた／多重化されたＡＣＫ／ＮＡＣＫを送信することができる。
【０１３１】
同様に、いくつかの実施形態では、無線デバイスは、非周期及び／又は周期のチャネル状態情報（ＣＳＩ）のために基地局のうちの１つからの要求を受信することができる。このような実施形態では、無線デバイスがＣＳＩ報告を要求する基地局に送信するようにスケジューリングされたＵＬサブフレームに対応するＤＬサブフレームで要求が受信された場合、無線デバイスは、ＣＳＩ報告で応答することができる。例えば、第２の基地局がＣＳＩ報告を要求する場合に、それが無線デバイスが第２の基地局に送信するようにスケジューリングされたＵＬサブフレームに対応するＤＬサブフレームで受信された場合、無線ステーションは、ＣＳＩ報告で応答することができる。いくつかの実施形態では、対応するＵＬサブフレームを有するＤＬサブフレームでＣＳＩ報告要求が受信されない（例えば、第２の基地局によってＣＳＩ報告が要求されるが、第１の基地局への送信に割り当てられた対応するＵＬサブフレームを有するＤＬサブフレームで受信される）場合、無線ステーションは、要求する基地局への送信のためにスケジューリングされた後続のＵＬサブフレームまで、ＣＳＩ報告の送信を遅延することができる。あるいは、ＣＳＩ報告は、制御ペイロード上の任意のＵＬサブフレームに多重化されてもよい。例えば、第２の基地局が、第１の基地局への送信に割り当てられたＵＬサブフレームに対応するＤＬサブフレームでＣＳＩ報告を要求する場合、無線ステーションは、第１の基地局への制御チャネル送信のペイロードにＣＳＩ報告を多重化することができる。いくつかの実施形態では、第１のＲＡＴの制御チャネル内の領域は、第２のＲＡＴに対するＣＳＩ報告のために予約されてもよい。
更なる実施形態
【０１３２】
いくつかの実施形態では、無線デバイス（例えば、ＵＥ１０６などの）は、ＲＡＴ間の二重接続性のための方法を実行することができる。いくつかの実施形態では、例えば、ＵＥ１０６などの無線デバイスは、少なくともアンテナと、アンテナと結合する（及び／又は通信する）無線機と、無線機と結合する（及び／又は通信する）処理要素とを含むことができる。いくつかの実施形態では、本方法は、無線デバイスの処理要素（及び／又は処理回路）によって実行可能であるプログラム命令を含み得る。いくつかの実施形態では、方法は、第１の無線アクセス技術（ＲＡＴ）に従って、第１のシステム帯域幅で動作する第１のセルとの第１の無線リンクを確立することと、第２の無線アクセス技術（ＲＡＴ）に従って、第２のシステム帯域幅で動作する第２のセルとの第２の無線リンクを確立することと、無線デバイスが第１のＲＡＴ及び第２のＲＡＴの両方に従ってスケジューリングされたアップリンク動作を有するか否か判定することと、アップリンク動作が第１のＲＡＴ及び第２のＲＡＴの両方に従ってスケジューリングされる場合、第１のＲＡＴ用のアップリンクデータ及び第２のＲＡＴ用のアップリンクデータを時分割多重化（ＴＤＭ）することにより第１のＲＡＴ及び第２のＲＡＴの両方に対するアップリンク動作を実行することと、を含むことができる。換言すれば、無線デバイスは、第１のＲＡＴ及び第２のＲＡＴ上で同時に送信しなくてもよい。別の言い方をすれば、無線デバイスは、第１のＲＡＴ及び第２のＲＡＴ上で同時に送信するように構成しなくてもよい。このように、少なくともいくつかの実施形態では、無線デバイスは、第１のＲＡＴ及び第２のＲＡＴ上の同時送信をサポート（及び／又は実行）することができない場合がある。
【０１３３】
いくつかの実施形態では、第１のＲＡＴ及び第２のＲＡＴの両方に従ってアップリンク動作がスケジューリングされる場合、第１のＲＡＴ用のアップリンクデータ及び第２のＲＡＴ用のアップリンクデータを時分割多重化（ＴＤＭ）することにより第１のＲＡＴ及び第２のＲＡＴの両方に対してアップリンク動作を実行することは、第１のＲＡＴに従った伝送用の第１のＵＬサブフレームの割り当てを受信することと、第２のＲＡＴに従った伝送用の第２のＵＬサブフレームの割り当てを受信することとを更に含むことができる。
【０１３４】
いくつかの実施形態では、アップリンクデータのＴＤＭは、無線デバイスの物理層において実行されてもよい。
【０１３５】
いくつかの実施形態では、方法はまた、無線デバイスが、第１又は第２のＲＡＴのうちの１つに従って制御シグナリング用のそれぞれのＵＬサブフレームの一部分の割り当てを受信することを含むことができる。
【０１３６】
いくつかの実施形態では、方法はまた、無線デバイスが、第２の基地局から、ダウンリンクサブフレームにおけるチャネル状態情報の要求を受信することと、ダウンリンクサブフレームが、第２の基地局に送信するためにスケジューリングされたＵＬサブフレームに対応していないことを判定することと、ＵＬサブフレーム内の第１の基地局に送信される制御信号における第２の基地局に関するチャネル状態情報を多重化することと、を含むことができる。
【０１３７】
一部の実施形態において、この方法はまた、無線デバイスが、第２の基地局から、第１の基地局への送信のためのアップリンクサブフレーム及び第２の基地局への割り当てのためのアップリンクサブフレームを示す、アップリンクサブフレームの割り当てを受信することと、第２の基地局から、無線デバイスが第２の基地局への送信に割り当てられたアップリンクサブフレームに対応するダウンリンクサブフレーム内の第２の基地局からのデータのみを受信し、それによって第２のＲＡＴに従った確認応答タイムラインを維持するように、アップリンクサブフレームの割り当てに対応するダウンリンクサブフレームの割り当てを受信することと、を含むことができる。
【０１３８】
一部の実施形態において、この方法はまた、無線デバイスが、第２の基地局から、第１の基地局への送信のためのアップリンクサブフレーム及び第２の基地局への割り当てのためのアップリンクサブフレームを示すアップリンクサブフレームの割り当てを受信することと、第２の基地局から、無線デバイスがすべてのダウンリンクサブフレームにおいてダウンリンクデータを受信することを示す、ダウンリンクサブフレームの割り当てを受信することと、ダウンリンクサブフレームの確認応答を多重化することと、アップリンクサブフレームにおいて多重化した確認応答を送信し、それによって第２のＲＡＴに従った確認応答タイムラインを維持することと、を含むことができる。いくつかの実施形態では、送信は、第２の基地局への送信に割り当てられたアップリンクサブフレームにおいて行なうことができる。いくつかの実施形態では、送信は、第１の基地局への送信に割り当てられたアップリンクサブフレームにおいて行なうことができ、多重化された確認応答は、第１の基地局への制御チャネル送信のペイロードに含まれる。
【０１３９】
一部の実施形態において、この方法はまた、無線デバイスが、第２の基地局から、第１の基地局への送信のためのアップリンクサブフレーム及び第２の基地局への割り当てのためのアップリンクサブフレームを示すアップリンクサブフレームの割り当てを受信することと、第２の基地局から、無線デバイスがすべてのダウンリンクサブフレームにおいてダウンリンクデータを受信することを示す、ダウンリンクサブフレームの割り当てを受信することと、ダウンリンクサブフレームの確認応答をバンドルすることと、アップリンクサブフレームにおいてバンドルされた確認応答を送信し、それによって第２のＲＡＴに従った確認応答タイムラインを維持することと、を含むことができる。いくつかの実施形態では、送信は、第２の基地局への送信に割り当てられたアップリンクサブフレームにおいて行なうことができる。いくつかの実施形態では、送信は、第１の基地局への送信に割り当てられたアップリンクサブフレームにおいて行なうことができ、バンドルされた確認応答は、第１の基地局への制御チャネル送信のペイロードに含まれる。
【０１４０】
いくつかの実施形態では、方法はまた、無線デバイスが、第１又は第２の基地局のうちの１つから、第１のＲＡＴに関連付けられた第１の周波数帯域及び第２のＲＡＴに関連付けられた第２の周波数帯域の割り当てを受信することを含むことができ、第１及び第２の周波数帯域は、等しい。
【０１４１】
いくつかの実施形態では、方法はまた、無線デバイスが、第１又は第２の基地局のうちの１つから、第１のＲＡＴに関連付けられた第１の周波数帯域及び第２のＲＡＴに関連付けられた第２の周波数帯域の割り当てを受信することを含むことができ、第１及び第２の周波数帯域は、等しくない。
【０１４２】
いくつかの実施形態では、第１のＲＡＴは、５Ｇ  ＮＲを含んでもよく、第２のＲＡＴは、ＬＴＥを含んでもよい。
【０１４３】
いくつかの実施形態では、方法はまた、無線デバイスが、第１又は第２の基地局のうちの１つから、第１のＲＡＴに関連付けられた第１の周波数帯域及び第２のＲＡＴに関連付けられた第２の周波数帯域の割り当てを受信することを含むことができ、第１及び第２の周波数帯域は、等しい。
【０１４４】
いくつかの実施形態では、方法はまた、無線デバイスが、第１又は第２の基地局のうちの１つから、第１のＲＡＴに関連付けられた第１の周波数帯域及び第２のＲＡＴに関連付けられた第２の周波数帯域の割り当てを受信することを含むことができ、第１及び第２の周波数帯域は、等しくない。
【０１４５】
いくつかの実施形態では、方法はまた、無線デバイスが、第１又は第２の基地局のうちの１つから、第１のＲＡＴに関連付けられた第１の周波数帯域及び第２のＲＡＴに関連付けられた第２の周波数帯域の割り当てを受信することと、第１及び第２の周波数帯域に一部基づいて、無線デバイスが第１及び第２の周波数帯域を使用した同時アップリンク送信をサポートしないことを判定することと、無線デバイスが第１又は第２の周波数帯域の１つに対してＵＬ共有をサポートするというインジケーションを第１又は第２の基地局のうちの１つに送信することと、を含むことができる。いくつかの実施形態では、インジケーションは、能力メッセージの条件付きフィールドに含めることができる。いくつかの実施形態では、条件付きフィールドは、無線デバイスがＵＬ共有をサポートするどの帯域及び／又は周波数の組み合わせかのインジケーションを更に含むことができる。
【０１４６】
一部の実施形態において、この方法はまた、無線デバイスが、第１及び／又は第２の基地局に、第１の基地局に通信を送信するために使用される第１の周波数から第２の基地局に通信を送信するために使用される第２の周波数に及び／若しくは第２の周波数から第１の周波数にＲＦ動作周波数を切り替えるために必要な１つ以上の時間周期に関連付けられた、必要な無線周波数（ＲＦ）切替ギャップ並びに／又は再同調時間のインジケーションを報告することと、報告したことに応じて、インジケーションに少なくとも一部基づく、第１及び第２の基地局との通信のためのサブフレームの割り当てを受信することと、を含むことができる。
【０１４７】
いくつかの実施形態では、無線デバイス（例えば、ＵＥ１０６などの）は、ＲＡＴ間の二重接続性のための方法を実行することができる。いくつかの実施形態では、例えば、ＵＥ１０６などの無線デバイスは、少なくともアンテナと、アンテナと結合する（及び／又は通信する）無線機と、無線機と結合する（及び／又は通信する）処理要素とを含むことができる。いくつかの実施形態では、本方法は、無線デバイスの処理要素（及び／又は処理回路）によって実行可能であるプログラム命令を含み得る。いくつかの実施形態では、方法は、第１の無線アクセス技術（ＲＡＴ）に従って、第１のシステム帯域幅で動作する第１のセルとの第１の無線リンクを確立することと、第２の無線アクセス技術（ＲＡＴ）に従って、第２のシステム帯域幅で動作する第２のセルとの第２の無線リンクを確立することと、無線デバイスが第１のＲＡＴ及び第２のＲＡＴの両方に従ってスケジューリングされたアップリンク動作を有することを判定したことに応じて、異なる周波数間での必要な無線周波数（ＲＦ）切替ギャップ及び／又は再同調時間のインジケーションを送信することと、少なくとも一部インジケーションに基づいて第１のセル及び第２のセルに対するサブフレーム割り当てを受信することと、を含むことができる。
【０１４８】
いくつかの実施形態では、必要な再同調時間及び／又はＲＦ切替ギャップは、無線デバイスが第１の周波数から第２の周波数に、及び／又は第２の周波数から第１の周波数に切り替えるために必要な１つ以上の時間周期に関連付けることができる。いくつかの実施形態では、第１の周波数は、第１の基地局に通信を送信するために使用することができ、第２の周波数は、第２の基地局に通信を送信するために使用することができる。いくつかの実施形態では、第１の周波数から第２の周波数に切り替えるための第１の時間周期は、第２の周波数から第１の周波数に切り替えるための第２の時間周期とは異なることがある。
【０１４９】
いくつかの実施形態では、インジケーションは、再同調時間及び／又はＲＦ切替ギャップが必要である（及び／又は要求される）か否かを示すことができる。いくつかの実施形態では、インジケーションは、再同調時間及び／又はＲＦ切替ギャップが必要でない（及び／又は要求されない）ことを示すことができる。
【０１５０】
いくつかの実施形態では、再同調時間及び／又はＲＦ切替ギャップは、第１のセルに割り当てられたダウンリンクサブフレームの一部分及び／又は第１のセルに割り当てられた少なくとも１つのダウンリンクサブフレームのうちの１つとして指定されてもよい。いくつかの実施形態では、再同調時間及び／又はＲＦ切替ギャップは、標準により規定されてもよい。いくつかの実施形態では、再同調時間及び／又はＲＦ切替ギャップは、シンボルのオーダーで指定されてもよい。いくつかの実施形態では、再同調時間及び／又はＲＦ切替ギャップは、複数のシンボルのオーダーであってもよい。
【０１５１】
いくつかの実施形態では、割り当ては、第２のセルへの送信に割り当てられたサブフレームの直後の、第１のセルへの送信に割り当てられたサブフレームの開始時の第１の保護期間を含むことができる。いくつかの実施形態では、第１の保護期間は、必要な同調時間に関連付けることができる。いくつかの実施形態では、割り当ては、第２のセルへの送信に割り当てられたサブフレームの直前の、第１のセルへの送信に割り当てられたサブフレームの終了時の第２の保護期間を含むことができる。いくつかの実施形態では、第２の保護期間は、必要な同調時間に関連付けることができる。いくつかの実施形態では、割り当ては、第２のセルへの送信に割り当てられたサブフレームと第１のセルへの送信に割り当てられたサブフレームとの間の、第１のセルからの伝送の受信に割り当てられたサブフレームを含むことができる。いくつかの実施形態では、割り当ては、第１のセルへの送信に割り当てられたサブフレームと第２のセルへの送信に割り当てられたサブフレームとの間の、第１のセルからの伝送の受信に割り当てられたサブフレームを含むことができる。
【０１５２】
いくつかの実施形態では、方法はまた、無線デバイスが、アップリンク動作が第１のＲＡＴ及び第２のＲＡＴの両方に従ってスケジューリングされる場合、第１のＲＡＴ用のアップリンクデータ及び第２のＲＡＴ用のアップリンクデータを時分割多重化（ＴＤＭ）することにより第１のＲＡＴ及び第２のＲＡＴの両方に対するアップリンク動作を実行することを含むことができる。換言すれば、無線デバイスは、第１のＲＡＴ及び第２のＲＡＴ上で同時に送信しなくてもよい。別の言い方をすれば、無線デバイスは、第１のＲＡＴ及び第２のＲＡＴ上で同時に送信するように構成しなくてもよい。このように、少なくともいくつかの実施形態では、無線デバイスは、第１のＲＡＴ及び第２のＲＡＴ上の同時送信をサポート（及び／又は実行）することができない場合がある。
【０１５３】
いくつかの実施形態では、第１のＲＡＴ及び第２のＲＡＴの両方に従ってアップリンク動作がスケジューリングされる場合、第１のＲＡＴ用のアップリンクデータ及び第２のＲＡＴ用のアップリンクデータを時分割多重化（ＴＤＭ）することにより第１のＲＡＴ及び第２のＲＡＴの両方に対してアップリンク動作を実行することは、第１のＲＡＴに従った伝送用の第１のＵＬサブフレームの割り当てを受信することと、第２のＲＡＴに従った伝送用の第２のＵＬサブフレームの割り当てを受信することとを含むことができる。いくつかの実施形態では、アップリンクデータのＴＤＭは、無線デバイスの物理層において実行されてもよい。
【０１５４】
いくつかの実施形態では、方法は、無線デバイスが、第１又は第２のＲＡＴのうちの１つに従って制御シグナリング用のそれぞれのＵＬサブフレームの一部分の割り当てを受信することを更に含むことができる。
【０１５５】
いくつかの実施形態では、方法は、無線デバイスが、第２の基地局から、ダウンリンクサブフレームにおけるチャネル状態情報の要求を受信することと、ダウンリンクサブフレームが、第２の基地局に送信するためにスケジューリングされたＵＬサブフレームに対応していないことを判定することと、ＵＬサブフレーム内の第１の基地局に送信される制御信号における第２の基地局に関するチャネル状態情報を多重化することと、を更に含むことができる。
【０１５６】
いくつかの実施形態では、方法は、無線デバイスが、第２の基地局から、ダウンリンクサブフレームの割り当てを受信することを更に含むことができる。一部の実施形態において、無線デバイスが、第２の基地局への送信のために割り当てられたアップリンクサブフレームに対応するダウンリンクサブフレームにおいて第２の基地局からのデータのみを受信し、それによって第２のＲＡＴに従った確認応答タイムラインを維持するように、ダウンリンクサブフレームの割り当ては、アップリンクサブフレームの割り当てに対応することができる。
【０１５７】
いくつかの実施形態では、方法は、無線デバイスが、第２の基地局から、ダウンリンクサブフレームの割り当てを受信することと、ダウンリンクサブフレームの確認応答を多重化することと、アップリンクサブフレームにおいて多重化した確認応答を送信し、それによって第２のＲＡＴに従った確認応答タイムラインを維持することと、を更に含むことができる。いくつかの実施形態では、割り当ては、無線デバイスがすべてのダウンリンクサブフレームにおいてダウンリンクデータを受信することを示すことができる。いくつかの実施形態では、アップリンクサブフレームにおいて多重化された確認応答を送信することは、第２の基地局への送信に割り当てられたアップリンクサブフレームにおいて行なうことができる。いくつかの実施形態では、アップリンクサブフレームにおいて多重化された確認応答を送信することは、第１の基地局への送信に割り当てられたアップリンクサブフレームにおいて行なうことができ、多重化された確認応答は、第１の基地局への制御チャネル送信のペイロードに含まれる。
【０１５８】
いくつかの実施形態では、方法は、無線デバイスが、第２の基地局から、ダウンリンクサブフレームの割り当てを受信することと、ダウンリンクサブフレームの確認応答をバンドルすることと、アップリンクサブフレームにおいてバンドルされた確認応答を送信し、それによって第２のＲＡＴに従った確認応答タイムラインを維持することと、を更に含むことができる。いくつかの実施形態では、割り当ては、無線デバイスがすべてのダウンリンクサブフレームにおいてダウンリンクデータを受信することを示すことができる。いくつかの実施形態では、アップリンクサブフレームにおいてバンドルされた確認応答を送信することは、第２の基地局への送信に割り当てられたアップリンクサブフレームにおいて行なうことができる。いくつかの実施形態では、アップリンクサブフレームにおいてバンドルされた確認応答を送信することは、第１の基地局への送信に割り当てられたアップリンクサブフレームにおいて行なうことができ、バンドルされた確認応答は、第１の基地局への制御チャネル送信のペイロードに含まれる。
【０１５９】
いくつかの実施形態では、少なくとも一部インジケーションに基づく第１のセル及び第２のセルに対するサブフレーム割り当てを受信することは、第１又は第２の基地局のうちの１つから、第１のＲＡＴに関連付けられた第１の周波数帯域及び第２のＲＡＴに関連付けられた第２の周波数帯域の割り当てを受信することを含むことができる。いくつかの実施形態では、第１及び第２の周波数帯域は、等しくなくてよい。いくつかの実施形態では、このような方法は、無線デバイスが、第１及び第２の周波数帯域に一部基づいて、無線デバイスが第１及び第２の周波数帯域を使用したアップリンク送信をサポートしないことを判定することと、無線デバイスがアップリンク共有をサポートするどの帯域及び／又は周波数の組み合わせかのインジケーションを第１又は第２の基地局のうちの１つに送信することと、を更に含むことができる。いくつかの実施形態では、インジケーションは、能力メッセージの条件付きフィールドに含めることができる。
【０１６０】
いくつかの実施形態では、第１のＲＡＴは、５Ｇ  ＮＲであってもよく、第２のＲＡＴは、ＬＴＥであってもよい。いくつかの実施形態では、第１のＲＡＴは、５Ｇ  ＮＲであってもよく、第２のＲＡＴは、５Ｇ  ＮＲであってもよい。
【０１６１】
本開示の実施形態は、様々な形態のうちのいずれかで実現することができる。例えば、一部の実施形態は、コンピュータにより実行される方法、コンピュータ可読メモリ媒体、又はコンピュータシステムとして実現することができる。他の実施形態は、ＡＳＩＣなどのカスタム設計されたハードウェアデバイスの１つ以上を使用して、実現することができる。更なる他の実施形態は、ＦＰＧＡなどのプログラム可能なハードウェア要素の１つ以上を使用して実現されてもよい。
【０１６２】
いくつかの実施形態では、非一時的コンピュータ可読記憶媒体は、プログラム命令及び／又はデータを記憶するように構成することができ、プログラム命令は、コンピュータシステムによって実行される場合には、コンピュータシステムに、方法、例えば、本明細書で説明された方法の実施形態のうちのいずれか若しくは本明細書で説明された方法の実施形態の任意の組み合わせ、又は本明細書で説明された方法の実施形態のうちのいずれかの任意のサブセット若しくはこのようなサブセットの任意の組み合わせを実行させる。
【０１６３】
いくつかの実施形態では、デバイス（例えば、ＵＥ１０６）は、プロセッサ（又はプロセッサのセット）及び記憶媒体を含むように構成してもよい。ここで、記憶媒体は、プログラム命令を記憶し、プロセッサは、記憶媒体からプログラム命令を読み込み、実行するように構成されている。プログラム命令は、本明細書に記載された種々の方法の実施形態の任意のもの（又は、本明細書に記載された方法の実施形態の任意の組み合わせ、又は、本明細書に記載された方法の実施形態のいずれかの任意のサブセット、又は、このようなサブセットの任意の組み合わせ）を実施するために実行可能である。デバイスは、様々な形態のうちのいずれかで実現されてもよい。
【０１６４】
上記の実施形態は、かなり詳細に説明されているが、上記の開示が完全に理解されると、当業者には、数多くの変形及び修正が明らかとなるであろう。以下の「特許請求の範囲」は、そのような変形及び修正のすべてを包含するように解釈されることを意図するものである。
【図１】
2019004469.tif 000003
【図２】
2019004469.tif 000004
【図３】
2019004469.tif 000005
【図４】
2019004469.tif 000006
【図５】
2019004469.tif 000007
【図６Ａ】
2019004469.tif 000008
【図６Ｂ】
2019004469.tif 000009
【図７】
2019004469.tif 000010
【図８】
2019004469.tif 000011
【図９】
2019004469.tif 000012
【図１０】
2019004469.tif 000013
【図１１】
2019004469.tif 000014
【図１２】
2019004469.tif 000015
【図１３】
2019004469.tif 000016
【図１４】
2019004469.tif 000017
【図１５Ａ】
2019004469.tif 000018
【図１５Ｂ】
2019004469.tif 000019
【図１６Ａ】
2019004469.tif 000020
【図１６Ｂ】
2019004469.tif 000021
【図１７Ａ】
2019004469.tif 000022
【図１７Ｂ】
2019004469.tif 000023
【図１８】
2019004469.tif 000024
【外国語明細書】
2019004469000001.pdf